(57)【要約】  卵巣癌の早期発見のための潜在的なバイオマーカーとして抗原を同定する方法、ならびにバイオマーカーとしておよびオーダーメイド医療／治療評価において該抗原を利用するためのキット。全長の候補抗原を提示するタンパク質マイクロアレイを開発し、大規模プロテオームスクリーニングに固有の偽発見率を制限するために、順次スクリーニングを行い候補自己抗体バイオマーカーを選択した。【特許請求の範囲】
【請求項１】
卵巣癌の発症を検出するための方法であって、
免疫グロブリンを含む患者由来の流体を、ＡＣＳＢＧ１、ＡＦＰ、ＣＳＮＫ１Ａ１Ｌ、ＤＨＦＲ、ＭＢＮＬ１、ＴＰ５３、ＰＲＬ、ＰＳＭＣ１、ＰＴＧＦＲ、ＰＴＰＲＡ、ＲＡＢ７Ｌ１およびＳＣＹＬ３からなる群より選択される１つ以上のバイオマーカーを有する基材と接触させる工程、および
該バイオマーカーの１つ以上が該免疫グロブリンによって結合されるかどうかを検出する工程
を含む、前記方法。
【請求項２】
１つ以上のバイオマーカー前記基材は核酸タンパク質プログラマブルアレイ（ＮＡＰＰＡ）を含む、請求項１に記載の方法。
【請求項３】
ＡＣＳＢＧ１、ＡＦＰ、ＣＳＮＫ１Ａ１Ｌ、ＤＨＦＲ、ＭＢＮＬ１、Ｐ５３、ＰＲＬ、ＰＳＭＣ１、ＰＴＧＦＲ、ＰＴＰＲＡ、ＲＡＢ７Ｌ１およびＳＣＹＬ３から成るなる群より選択される１つ以上のバイオマーカーを含む基材を含む、卵巣癌のための診断試験キット。
【請求項４】
バイオマーカーＡＣＳＢＧ１、ＡＦＰ、ＣＳＮＫ１Ａ１Ｌ、ＤＨＦＲ、ＭＢＮＬ１、Ｐ５３、ＰＲＬ、ＰＳＭＣ１、ＰＴＧＦＲ、ＰＴＰＲＡ、ＲＡＢ７Ｌ１およびＳＣＹＬ３を含む基材を含む、卵巣癌のための診断試験キット。
【発明の詳細な説明】
【関連出願の相互参照】
【０００１】
本出願は、その全体が参照により本明細書に組み込まれる２０１３年１月３１日に出願された米国仮特許出願第６１／７５９，０４７号に対して優先権を主張する。
連邦政府支援による研究または開発に関する記載
【０００２】
本発明は、国立衛生研究所により授与されたＣＡ１１７３７４の下で政府の支援によってなされている。米国政府は本発明において一定の権利を有する。
【発明の背景】
【０００３】
卵巣癌は、年間１５，０００人超が亡くなる、米国における女性の癌関連の第５番目の主要死因である。早期診断は全生存率の改善と関連付けられるが、現在のところ、大多数の患者は疾患が進行中に診断される。後期段階の卵巣癌の５年生存率はいまだに３０％未満のままである。
【０００４】
１９８３年に卵巣癌のためのバイオマーカーとして血清ＣＡ１２５が同定されたにもかかわらず、現在でも、一般集団に使用することが推奨されるスクリーニング用バイオマーカーは存在していない。スクリーニング検査としてのＣＡ１２５の有用性は、９９％の特異性で早期段階疾患に関して５０％と低い感度にとどまっている。
【０００５】
経膣超音波検査（ＴＶＵＳ）とＣＡ１２５を組み合わせることで、ＵＫＣＴＯＣＳ大規模スクリーニング試験で検出の特異性が増大した。血液中の卵巣癌を検出するための２８の潜在的なマーカーの最近の共同検証研究では、最も正確なマーカーは依然としてＣＡ１２５であり、そのすぐ後にＨＥ４が続く。マーカーのパネルにより、疾患の早期発見のためにＣＡ１２５単独に比べてわずかな改善しか立証されなかった。
【０００６】
最近の研究で、ＣＡ１２５およびＨＥ４にＣＥＡおよびＶＣＡＭ−１を加えることにより９８％の特異性で８６％までステージＩおよびＩＩの卵巣癌の検出感度が増大したことが示されたが、これは診断前血清を使用する盲検検証試験では確認されないままである。
【０００７】
また、タンパク質の過剰発現または突然変異は、癌患者の血清中の自己抗体（ＡＡｂ）の自然発達の原因となりうる。腫瘍抗原特異的ＡＡｂは、早期疾患の患者を含む、癌患者の血清において同定されている。ｐ５３突然変異および結果としてえられたタンパク質の安定化と関連する、ｐ５３特異的ＡＡｂは、早期段階の卵巣癌で検出されている。ｐ５３特異的ＡＡｂも９１．７％の特異性で漿液性卵巣癌患者の４１．７％で検出されている。ＣＡ１２５およびＨＥ４とは異なり、ｐ５３−ＡＡｂは、生存率の改善と関連付けられた。
【０００８】
しかしながら、早期卵巣癌の発見のための他のバイオマーカーの同定および利用は判然としないままである。
【発明の概要】
【０００９】
核酸タンパク質プログラマブルアレイ（ＮＡＰＰＡ）を使用して、早期乳癌における抗体サイン（ａｎｔｉｂｏｄｙ  ｓｉｇｎａｔｕｒｅ）を同定するための方法が開発されている。診断試験キットおよびオーダーメイド医療の決定、例えば、卵巣癌の早期発見のためのバイオマーカーの同定なども開示されている。
【００１０】
アレイの各特徴における標的タンパク質をコードする全長ｃＤＮＡをプリントすることによって生成された、新規なタンパク質マイクロアレイ技術ＮＡＰＰＡを使用した。次いで、前記タンパク質を無細胞系により転写し翻訳し前記タンパク質に融合するエピトープタグを使用してその場で固定する。血清を添加し、結合したＩｇＧを標準的な二次試薬によって検出する。
【００１１】
本発明のこれらの態様および他の態様が以下の詳細な説明および図面を参照することにより明らかになるであろう。そのために、本明細書に引用したいかなる特許および他の文献は、本明細書にその全体が参考として援用される。
【発明の詳細な説明】
【００１２】
本明細書に記載する実施態様は、卵巣癌の早期発見のための潜在的なバイオマーカーとしての自己抗体を同定するための方法、ならびに診断バイオマーカーとしておよびオーダーメイド医療／治療評価のための前記自己抗体を利用するキットに関する。
【００１３】
全長の候補抗原を提示するタンパク質マイクロアレイを開発し、順次スクリーニングして候補自己抗体バイオマーカーを選択している。卵巣癌を有する患者からの血清が腫瘍由来のタンパク質に対する自己抗体（ＡＡｂ）を含むことが見出された。そこで、ＡＡｂを検出するために、５，１７７の候補腫瘍抗原を発現する高密度のプログラマブルタンパク質マイクロアレイ（ＮＡＰＰＡ）を、漿液性卵巣癌の患者および対照の健常者由来の血清を用いて調べ、結合したＩｇＧを測定する。
【００１４】
一実施形態では、７４１の抗原のセットを選択し、漿液性卵巣癌患者由来の血清の独立したセットを用いて調べ対照と対応させた。１２の潜在的な自己抗原が、＞９３％の特異性で１３〜２２％の範囲の感度で同定された。驚くべきことに、これら１２の自己抗原の多くは、卵巣癌と関連していることはこれまでに知られていない。
【実施例】
【００１５】
非限定的な実施例
本研究の目的は、漿液性卵巣癌の検出のための新規なＡＡｂバイオマーカーを同定することであった。卵巣癌免疫応答をプロファイリングするために、５，１７７の全長候補抗原を提示するＮＡＰＰＡマイクロアレイを、アリゾナ州立大学でＤＮＡＳＵ  Ｐｌａｓｍｉｄ  Ｒｅｐｏｓｉｔｏｒｙから派生したｃＤＮＡを用いて作製した。これらのｃＤＮＡは、哺乳類のタンパク質発現のために最適化したベクター中にＣ末端ＧＳＴタグまたはＮ末端ＦＬＡＧタグのいずれかとインフレームで融合した全配列を確認した、全長の、野生型遺伝子であった。
【００１６】
前記ｃＤＮＡを高密度で（２３００までの抗原／スライド；３枚のスライド／遺伝子セット）抗タグ抗体と共にアミン処理したガラスのスライド上に３００μｍの固体タングステンピンを伴うＧｅｎｅｔｉｘ  ＱＡｒｒａｙ２を使用してプリントした。タンパク質を発現させ、結合したウサギ網状赤血球溶解物由来のインビトロ転写翻訳系を用いて、前記アレイ上のその場で捕捉した。タンパク質発現は、抗タグ抗体を伴う前記アレイをプロービングすることにより確認した。抗体を検出するために、前記アレイを一晩、０．２％Ｔｗｅｅｎ  ２０を伴う５％ＰＢＳ  マイル（ｍｉｌｅ）中で希釈した血清と共にインキュベートし、チラミドと共に抗ヒトＩｇＧ−ＨＲＰを用いて検出した。スライドは、Ｐｅｒｋｉｎ  Ｅｌｍｅｒ  ＰｒｏＳｃａｎＡｒｒａｙ  ＨＴでスキャンし、ＡｒｒａｙＰｒｏソフトウェアを用いて画像を定量した。
【００１７】
大規模なプロテオームスクリーニングに固有の偽発見率を制限するために、順次スクリーニング戦略を使用し候補ＡＡｂバイオマーカーを選択した。
【００１８】
最初に、漿液性卵巣癌３４例と年齢をマッチングさせた健常な対照者（集団１）３０例について、５，１７７の候補腫瘍抗原でスクリーニングを行った。各アレイをまずスポットのない第１四分位数によって推定されたバックグラウンド信号を除去することによって正規化し、次いで中央値で基準化した未加工の強度を対数変換しデータを同じ尺度にし、信号の範囲全体における分散を安定化させた。
【００１９】
最初の５，１７７の抗原からの候補抗原を、２つの異なる基準、１）分位点回帰を用いて症例と対照の９５番目の百分位数の比較、および２）二項検定を用いて偶然判明した予測数に対する対照の９５番目の百分位数を超える強度を有する症例の割合の比較、について満足するか否かで選択した。これらの基準を用いて、７４１の抗原をさらなる試験のために選択した。
【００２０】
第二に、６０の症例と６０例の健康な対照者（集団２）について、前記アレイに二重にプリントされた７４１の抗原でスクリーニングを行った。スポットレベルの特性管理手順を使用した後、前記アレイを同様に正規化し、受信者動作特性（ＲＯＣ）曲線分析を用いて分析した。具体的には、本発明者らは参考にならない診断検査に関するＲＯＣ曲線（ＰＡＵＣ）である、＞９５％の特異性の領域の前記ＰＡＵＣの下方部分領域が０．００１２５を超えるという仮説を検証した。本発明者らは、ｑ値をコンピュータで算出し、１５％の偽発見率閾値で統計学的に有意であった１２の潜在的なＡＡｂバイオマーカーを同定した（表１）。
【００２１】
これらのバイオマーカーの説明、それらのアミノ酸配列およびそれらの核酸配列を表２に示す。第三に、独立したアッセイ（Ｌｕｍｉｎｅｘビーズアレイ）は、これらの自己抗原を提示するために使用し、集団２の女性由来の血清を再度スクリーニングした。最後に、７の自己抗原の小さいセットを提示し非漿液性癌（ｎ＝３０）、偽陰性ＣＡ１２５（ｎ＝２０）、良性卵巣疾患（ｎ＝３０）、および健常対照者（ｎ＝３０）の独立したセット（集団３）由来の血清を用いてスクリーニングを行った。
【００２２】
【表１】
2016507748.tif 000002
【００２３】
卵巣癌の１２のバイオマーカーは、患者由来の血清が卵巣癌の自己抗体について試験される診断検査としてアレイまたは他の基材上に利用することができる。
【００２４】
【表２】
2016507748.tif 000003
アミノ酸配列（ＳＥＱ  ＩＤ  ＮＯ：１）
ＭＰＲＮＳＧＡＧＹＧＣＰＨＧＤＰＳＭＬＤＳＲＥＴＰＱＥＳＲＱＤＭＩＶＲＴＴＱＥＫＬＫＴＳＳＬＴＤＲＱＰＬＳＫＥＳＬＮＨＡＬＥＬＳＶＰＥＫＶＮＮＡＱＷＤＡＰＥＥＡＬＷＴＴＲＡＤＧＲＶＲＬＲＩＤＰＳＣＰＱＬＰＹＴＶＨＲＭＦＹＥＡＬＤＫＹＧＤＬＩＡＬＧＦＫＲＱＤＫＷＥＨＩＳＹＳＱＹＹＬＬＡＲＲＡＡＫＧＦＬＫＬＧＬＫＱＡＨＳＶＡＩＬＧＦＮＳＰＥＷＦＦＳＡＶＧＴＶＦＡＧＧＩＶＴＧＩＹＴＴＳＳＰＥＡＣＱＹＩＡＹＤＣＣＡＮＶＩＭＶＤＴＱＫＱＬＥＫＩＬＫＩＷＫＱＬＰＨＬＫＡＶＶＩＹＫＥＰＰＰＮＫＭＡＮＶＹＴＭＥＥＦＭＥＬＧＮＥＶＰＥＥＡＬＤＡＩＩＤＴＱＱＰＮＱＣＣＶＬＶＹＴＳＧＴＴＧＮＰＫＧＶＭＬＳＱＤＮＩＴＷＴＡＲＹＧＳＱＡＧＤＩＲＰＡＥＶＱＱＥＶＶＶＳＹＬＰＬＳＨＩＡＡＱＩＹＤＬＷＴＧＩＱＷＧＡＱＶＣＦＡＥＰＤＡＬＫＧＳＬＶＮＴＬＲＥＶＥＰＴＳＨＭＧＶＰＲＶＷＥＫＩＭＥＲＩＱＥＶＡＡＱＳＧＦＩＲＲＫＭＬＬＷＡＭＳＶＴＬＥＱＮＬＴＣＰＧＳＤＬＫＰＦＴＴＲＬＡＤＹＬＶＬＡＫＶＲＱＡＬＧＦＡＫＣＱＫＮＦＹＧＡＡＰＭＭＡＥＴＱＨＦＦＬＧＬＮＩＲＬＹＡＧＹＧＬＳＥＴＳＧＰＨＦＭＳＳＰＹＮＹＲＬＹＳＳＧＫＬＶＰＧＣＲＶＫＬＶＮＱＤＡＥＧＩＧＥＩＣＬＷＧＲＴＩＦＭＧＹＬＮＭＥＤＫＴＣＥＡＩＤＥＥＧＷＬＨＴＧＤＡＧＲＬＤＡＤＧＦＬＹＩＴＧＲＬＫＥＬＩＩＴＡＧＧＥＮＶＰＰＶＰＩＥＥＡＶＫＭＥＬＰＩＩＳＮＡＭＬＩＧＤＱＲＫＦＬＳＭＬＬＴＬＫＣＴＬＤＰＤＴＳＤＱＴＤＮＬＴＥＱＡＶＥＦＣＱＲＶＧＳＲＡＴＴＶＳＥＩＩＥＫＫＤＥＡＶＹＱＡＩＥＥＧＩＲＲＶＮＭＮＡＡＡＲＰＹＨＩＱＫＷＡＩＬＥＲＤＦＳＩＳＧＧＥＬＧＰＴＭＫＬＫＲＬＴＶＬＥＫＹＫＧＩＩＤＳＦＹＱＥＱＫＭ
コードするヌクレオチド配列（ＳＥＱ  ＩＤ  ＮＯ：２）
ＡＴＧＣＣＡＣＧＣＡＡＴＴＣＴＧＧＡＧＣＴＧＧＡＴＡＣＧＧＣＴＧＣＣＣＡＣＡＣＧＧＧＧＡＣＣＣＣＡＧＣＡＴＧＣＴＧＧＡＣＡＧＣＡＧＡＧＡＧＡＣＣＣＣＡＣＡＧＧＡＧＡＧＣＣＧＧＣＡＧＧＡＣＡＴＧＡＴＴＧＴＧＡＧＧＡＣＣＡＣＣＣＡＡＧＡＡＡＡＡＴＴＧＡＡＡＡＣＣＡＧＣＴＣＡＣＴＧＡＣＴＧＡＣＡＧＧＣＡＧＣＣＡＣＴＣＴＣＣＡＡＡＧＡＧＴＣＣＣＴＧＡＡＣＣＡＴＧＣＴＣＴＣＧＡＧＣＴＣＴＣＡＧＴＧＣＣＡＧＡＧＡＡＧＧＴＧＡＡＴＡＡＴＧＣＣＣＡＧＴＧＧＧＡＴＧＣＴＣＣＡＧＡＧＧＡＧＧＣＧＣＴＧＴＧＧＡＣＧＡＣＴＣＧＧＧＣＣＧＡＴＧＧＧＣＧＧＧＴＧＣＧＣＣＴＧＣＧＣＡＴＡＧＡＣＣＣＣＡＧＣＴＧＣＣＣＡＣＡＧＣＴＴＣＣＣＴＡＣＡＣＴＧＴＧＣＡＴＣＧＧＡＴＧＴＴＣＴＡＣＧＡＧＧＣＣＣＴＧＧＡＴＡＡＧＴＡＴＧＧＧＧＡＣＣＴＣＡＴＣＧＣＴＴＴＧＧＧＣＴＴＣＡＡＧＣＧＣＣＡＧＧＡＣＡＡＧＴＧＧＧＡＡＣＡＣＡＴＣＴＣＣＴＡＣＴＣＣＣＡＡＴＡＣＴＡＣＣＴＧＣＴＣＧＣＣＣＧＣＡＧＡＧＣＣＧＣＣＡＡＧＧＧＣＴＴＣＣＴＧＡＡＧＣＴＣＧＧＣＣＴＧＡＡＧＣＡＧＧＣＣＣＡＣＡＧＴＧＴＧＧＣＣＡＴＣＣＴＣＧＧＣＴＴＣＡＡＣＴＣＣＣＣＧＧＡＧＴＧＧＴＴＣＴＴＣＴＣＧＧＣＡＧＴＧＧＧＣＡＣＡＧＴＡＴＴＴＧＣＡＧＧＴＧＧＣＡＴＣＧＴＣＡＣＴＧＧＣＡＴＣＴＡＣＡＣＣＡＣＣＡＧＣＴＣＣＣＣＡＧＡＧＧＣＣＴＧＣＣＡＧＴＡＣＡＴＣＧＣＴＴＡＴＧＡＣＴＧＣＴＧＣＧＣＣＡＡＴＧＴＣＡＴＣＡＴＧＧＴＣＧＡＣＡＣＧＣＡＧＡＡＧＣＡＧＣＴＧＧＡＡＡＡＧＡＴＣＣＴＧＡＡＧＡＴＣＴＧＧＡＡＡＣＡＧＴＴＧＣＣＡＣＡＴＣＴＡＡＡＧＧＣＡＧＴＣＧＴＧＡＴＡＴＡＴＡＡＡＧＡＡＣＣＴＣＣＴＣＣＡＡＡＣＡＡＧＡＴＧＧＣＣＡＡＴＧＴＧＴＡＣＡＣＧＡＴＧＧＡＧＧＡＡＴＴＣＡＴＧＧＡＧＣＴＧＧＧＧＡＡＴＧＡＡＧＴＧＣＣＴＧＡＧＧＡＡＧＣＣＣＴＧＧＡＣＧＣＣＡＴＣＡＴＴＧＡＣＡＣＣＣＡＧＣＡＧＣＣＣＡＡＣＣＡＧＴＧＣＴＧＴＧＴＧＣＴＡＧＴＣＴＡＣＡＣＴＴＣＣＧＧＣＡＣＣＡＣＴＧＧＧＡＡＣＣＣＣＡＡＧＧＧＣＧＴＧＡＴＧＣＴＧＡＧＴＣＡＡＧＡＣＡＡＴＡＴＣＡＣＧＴＧＧＡＣＧＧＣＡＣＧＧＴＡＣＧＧＣＡＧＣＣＡＧＧＣＣＧＧＴＧＡＣＡＴＣＣＧＧＣＣＧＧＣＡＧＡＡＧＴＣＣＡＧＣＡＧＧＡＧＧＴＧＧＴＡＧＴＣＡＧＣＴＡＣＣＴＧＣＣＣＣＴＣＡＧＣＣＡＴＡＴＴＧＣＣＧＣＣＣＡＧＡＴＣＴＡＣＧＡＣＣＴＧＴＧＧＡＣＡＧＧＣＡＴＣＣＡＧＴＧＧＧＧＧＧＣＣＣＡＧＧＴＴＴＧＣＴＴＴＧＣＣＧＡＡＣＣＣＧＡＣＧＣＣＣＴＧＡＡＧＧＧＧＡＧＣＣＴＧＧＴＧＡＡＣＡＣＧＣＴＧＣＧＧＧＡＧＧＴＧＧＡＧＣＣＣＡＣＡＴＣＡＣＡＣＡＴＧＧＧＧＧＴＧＣＣＣＣＧＧＧＴＡＴＧＧＧＡＧＡＡＧＡＴＣＡＴＧＧＡＧＣＧＣＡＴＣＣＡＧＧＡＧＧＴＧＧＣＧＧＣＴＣＡＧＴＣＴＧＧＣＴＴＣＡＴＣＣＧＧＣＧＧＡＡＧＡＴＧＣＴＧＣＴＧＴＧＧＧＣＣＡＴＧＴＣＧＧＴＧＡＣＣＴＴＧＧＡＧＣＡＧＡＡＣＣＴＣＡＣＣＴＧＣＣＣＣＧＧＣＡＧＣＧＡＣＣＴＧＡＡＧＣＣＣＴＴＣＡＣＡＡＣＣＡＧＡＣＴＧＧＣＡＧＡＴＴＡＣＣＴＧＧＴＧＣＴＡＧＣＣＡＡＧＧＴＴＣＧＣＣＡＧＧＣＡＣＴＧＧＧＡＴＴＴＧＣＣＡＡＧＴＧＴＣＡＡＡＡＧＡＡＣＴＴＣＴＡＴＧＧＡＧＣＧＧＣＣＣＣＣＡＴＧＡＴＧＧＣＡＧＡＧＡＣＡＣＡＧＣＡＣＴＴＣＴＴＣＣＴＧＧＧＴＣＴＣＡＡＣＡＴＣＣＧＣＴＴＧＴＡＴＧＣＧＧＧＣＴＡＴＧＧＣＣＴＣＡＧＴＧＡＧＡＣＣＴＣＡＧＧＣＣＣＣＣＡＣＴＴＣＡＴＧＴＣＣＡＧＴＣＣＣＴＡＣＡＡＣＴＡＣＣＧＧＣＴＧＴＡＣＡＧＣＴＣＡＧＧＣＡＡＧＴＴＧＧＴＧＣＣＣＧＧＣＴＧＴＣＧＧＧＴＧＡＡＧＣＴＧＧＴＧＡＡＣＣＡＧＧＡＣＧＣＡＧＡＧＧＧＣＡＴＴＧＧＴＧＡＧＡＴＣＴＧＣＣＴＧＴＧＧＧＧＣＣＧＣＡＣＣＡＴＡＴＴＣＡＴＧＧＧＣＴＡＣＣＴＧＡＡＣＡＴＧＧＡＧＧＡＣＡＡＧＡＣＴＴＧＴＧＡＧＧＣＣＡＴＣＧＡＣＧＡＧＧＡＡＧＧＣＴＧＧＣＴＧＣＡＣＡＣＧＧＧＴＧＡＴＧＣＴＧＧＣＣＧＣＣＴＧＧＡＣＧＣＣＧＡＴＧＧＣＴＴＣＣＴＣＴＡＣＡＴＣＡＣＴＧＧＧＣＧＣＣＴＣＡＡＡＧＡＡＴＴＡＡＴＣＡＴＣＡＣＡＧＣＴＧＧＴＧＧＧＧＡＧＡＡＴＧＴＧＣＣＣＣＣＴＧＴＧＣＣＣＡＴＣＧＡＧＧＡＧＧＣＣＧＴＧＡＡＧＡＴＧＧＡＧＣＴＧＣＣＣＡＴＣＡＴＣＡＧＣＡＡＴＧＣＣＡＴＧＣＴＣＡＴＴＧＧＧＧＡＣＣＡＧＡＧＧＡＡＧＴＴＣＣＴＧＴＣＣＡＴＧＣＴＧＣＴＣＡＣＣＴＴＧＡＡＧＴＧＣＡＣＴＣＴＧＧＡＣＣＣＡＧＡＣＡＣＣＴＣＴＧＡＣＣＡＧＡＣＴＧＡＴＡＡＴＣＴＧＡＣＴＧＡＡＣＡＡＧＣＴＧＴＧＧＡＧＴＴＣＴＧＣＣＡＧＡＧＧＧＴＧＧＧＣＡＧＣＡＧＡＧＣＣＡＣＣＡＣＡＧＴＧＴＣＣＧＡＧＡＴＣＡＴＡＧＡＧＡＡＧＡＡＧＧＡＴＧＡＧＧＣＣＧＴＧＴＡＣＣＡＧＧＣＣＡＴＣＧＡＡＧＡＧＧＧＧＡＴＣＣＧＧＡＧＧＧＴＣＡＡＣＡＴＧＡＡＣＧＣＧＧＣＧＧＣＣＣＧＧＣＣＣＴＡＣＣＡＣＡＴＣＣＡＧＡＡＧＴＧＧＧＣＣＡＴＴＣＴＣＧＡＧＡＧＡＧＡＣＴＴＣＴＣＣＡＴＴＴＣＧＧＧＴＧＧＡＧＡＧＴＴＧＧＧＴＣＣＣＡＣＧＡＴＧＡＡＡＣＴＧＡＡＡＣＧＧＣＴＣＡＣＡＧＴＴＴＴＧＧＡＧＡＡＧＴＡＣＡＡＡＧＧＴＡＴＣＡＴＴＧＡＣＴＣＣＴＴＴＴＡＣＣＡＡＧＡＧＣＡＡＡＡＡＡＴＧ
ＡＦＰ  ＮＰ＿００１１２５  アルファフェトプロテイン  全長（１−６０９）
アミノ酸配列（ＳＥＱ  ＩＤ  ＮＯ：３）
ＭＫＷＶＥＳＩＦＬＩＦＬＬＮＦＴＥＳＲＴＬＨＲＮＥＹＧＩＡＳＩＬＤＳＹＱＣＴＡＥＩＳＬＡＤＬＡＴＩＦＦＡＱＦＶＱＥＡＴＹＫＥＶＳＫＭＶＫＤＡＬＴＡＩＥＫＰＴＧＤＥＱＳＳＧＣＬＥＮＱＬＰＡＦＬＥＥＬＣＨＥＫＥＩＬＥＫＹＧＨＳＤＣＣＳＱＳＥＥＧＲＨＮＣＦＬＡＨＫＫＰＴＰＡＳＩＰＬＦＱＶＰＥＰＶＴＳＣＥＡＹＥＥＤＲＥＴＦＭＮＫＦＩＹＥＩＡＲＲＨＰＦＬＹＡＰＴＩＬＬＷＡＡＲＹＤＫＩＩＰＳＣＣＫＡＥＮＡＶＥＣＦＱＴＫＡＡＴＶＴＫＥＬＲＥＳＳＬＬＮＱＨＡＣＡＶＭＫＮＦＧＴＲＴＦＱＡＩＴＶＴＫＬＳＱＫＦＴＫＶＮＦＴＥＩＱＫＬＶＬＤＶＡＨＶＨＥＨＣＣＲＧＤＶＬＤＣＬＱＤＧＥＫＩＭＳＹＩＣＳＱＱＤＴＬＳＮＫＩＴＥＣＣＫＬＴＴＬＥＲＧＱＣＩＩＨＡＥＮＤＥＫＰＥＧＬＳＰＮＬＮＲＦＬＧＤＲＤＦＮＱＦＳＳＧＥＫＮＩＦＬＡＳＦＶＨＥＹＳＲＲＨＰＱＬＡＶＳＶＩＬＲＶＡＫＧＹＱＥＬＬＥＫＣＦＱＴＥＮＰＬＥＣＱＤＫＧＥＥＥＬＱＫＹＩＱＥＳＱＡＬＡＫＲＳＣＧＬＦＱＫＬＧＥＹＹＬＱＮＡＦＬＶＡＹＴＫＫＡＰＱＬＴＳＳＥＬＭＡＩＴＲＫＭＡＡＴＡＡＴＣＣＱＬＳＥＤＫＬＬＡＣＧＥＧＡＡＤＩＩＩＧＨＬＣＩＲＨＥＭＴＰＶＮＰＧＶＧＱＣＣＴＳＳＹＡＮＲＲＰＣＦＳＳＬＶＶＤＥＴＹＶＰＰＡＦＳＤＤＫＦＩＦＨＫＤＬＣＱＡＱＧＶＡＬＱＴＭＫＱＥＦＬＩＮＬＶＫＱＫＰＱＩＴＥＥＱＬＥＡＶＩＡＤＦＳＧＬＬＥＫＣＣＱＧＱＥＱＥＶＣＦＡＥＥＧＱＫＬＩＳＫＴＲＡＡＬＧＶ
コードするヌクレオチド配列（ＳＥＱ  ＩＤ  ＮＯ：４）
ＡＴＧＡＡＧＴＧＧＧＴＧＧＡＡＴＣＡＡＴＴＴＴＴＴＴＡＡＴＴＴＴＣＣＴＡＣＴＡＡＡＴＴＴＴＡＣＴＧＡＡＴＣＣＡＧＡＡＣＡＣＴＧＣＡＴＡＧＡＡＡＴＧＡＡＴＡＴＧＧＡＡＴＡＧＣＴＴＣＣＡＴＡＴＴＧＧＡＴＴＣＴＴＡＣＣＡＡＴＧＴＡＣＴＧＣＡＧＡＧＡＴＡＡＧＴＴＴＡＧＣＴＧＡＣＣＴＧＧＣＴＡＣＣＡＴＡＴＴＴＴＴＴＧＣＣＣＡＧＴＴＴＧＴＴＣＡＡＧＡＡＧＣＣＡＣＴＴＡＣＡＡＧＧＡＡＧＴＡＡＧＣＡＡＡＡＴＧＧＴＧＡＡＡＧＡＴＧＣＡＴＴＧＡＣＴＧＣＡＡＴＴＧＡＧＡＡＡＣＣＣＡＣＴＧＧＡＧＡＴＧＡＡＣＡＧＴＣＴＴＣＡＧＧＧＴＧＴＴＴＡＧＡＡＡＡＣＣＡＧＣＴＡＣＣＴＧＣＣＴＴＴＣＴＧＧＡＡＧＡＡＣＴＴＴＧＣＣＡＴＧＡＧＡＡＡＧＡＡＡＴＴＴＴＧＧＡＧＡＡＧＴＡＣＧＧＡＣＡＴＴＣＡＧＡＣＴＧＣＴＧＣＡＧＣＣＡＡＡＧＴＧＡＡＧＡＧＧＧＡＡＧＡＣＡＴＡＡＣＴＧＴＴＴＴＣＴＴＧＣＡＣＡＣＡＡＡＡＡＧＣＣＣＡＣＴＣＣＡＧＣＡＴＣＧＡＴＣＣＣＡＣＴＴＴＴＣＣＡＡＧＴＴＣＣＡＧＡＡＣＣＴＧＴＣＡＣＡＡＧＣＴＧＴＧＡＡＧＣＡＴＡＴＧＡＡＧＡＡＧＡＣＡＧＧＧＡＧＡＣＡＴＴＣＡＴＧＡＡＣＡＡＡＴＴＣＡＴＴＴＡＴＧＡＧＡＴＡＧＣＡＡＧＡＡＧＧＣＡＴＣＣＣＴＴＣＣＴＧＴＡＴＧＣＡＣＣＴＡＣＡＡＴＴＣＴＴＣＴＴＴＧＧＧＣＴＧＣＴＣＧＣＴＡＴＧＡＣＡＡＡＡＴＡＡＴＴＣＣＡＴＣＴＴＧＣＴＧＣＡＡＡＧＣＴＧＡＡＡＡＴＧＣＡＧＴＴＧＡＡＴＧＣＴＴＣＣＡＡＡＣＡＡＡＧＧＣＡＧＣＡＡＣＡＧＴＴＡＣＡＡＡＡＧＡＡＴＴＡＡＧＡＧＡＡＡＧＣＡＧＣＴＴＧＴＴＡＡＡＴＣＡＡＣＡＴＧＣＡＴＧＴＧＣＡＧＴＡＡＴＧＡＡＡＡＡＴＴＴＴＧＧＧＡＣＣＣＧＡＡＣＴＴＴＣＣＡＡＧＣＣＡＴＡＡＣＴＧＴＴＡＣＴＡＡＡＣＴＧＡＧＴＣＡＧＡＡＧＴＴＴＡＣＣＡＡＡＧＴＴＡＡＴＴＴＴＡＣＴＧＡＡＡＴＣＣＡＧＡＡＡＣＴＡＧＴＣＣＴＧＧＡＴＧＴＧＧＣＣＣＡＴＧＴＡＣＡＴＧＡＧＣＡＣＴＧＴＴＧＣＡＧＡＧＧＡＧＡＴＧＴＧＣＴＧＧＡＴＴＧＴＣＴＧＣＡＧＧＡＴＧＧＧＧＡＡＡＡＡＡＴＣＡＴＧＴＣＣＴＡＣＡＴＡＴＧＴＴＣＴＣＡＡＣＡＡＧＡＣＡＣＴＣＴＧＴＣＡＡＡＣＡＡＡＡＴＡＡＣＡＧＡＡＴＧＣＴＧＣＡＡＡＣＴＧＡＣＣＡＣＧＣＴＧＧＡＡＣＧＴＧＧＴＣＡＡＴＧＴＡＴＡＡＴＴＣＡＴＧＣＡＧＡＡＡＡＴＧＡＴＧＡＡＡＡＡＣＣＴＧＡＡＧＧＴＣＴＡＴＣＴＣＣＡＡＡＴＣＴＡＡＡＣＡＧＧＴＴＴＴＴＡＧＧＡＧＡＴＡＧＡＧＡＴＴＴＴＡＡＣＣＡＡＴＴＴＴＣＴＴＣＡＧＧＧＧＡＡＡＡＡＡＡＴＡＴＣＴＴＣＴＴＧＧＣＡＡＧＴＴＴＴＧＴＴＣＡＴＧＡＡＴＡＴＴＣＡＡＧＡＡＧＡＣＡＴＣＣＴＣＡＧＣＴＴＧＣＴＧＴＣＴＣＡＧＴＡＡＴＴＣＴＡＡＧＡＧＴＴＧＣＴＡＡＡＧＧＡＴＡＣＣＡＧＧＡＧＴＴＡＴＴＧＧＡＧＡＡＧＴＧＴＴＴＣＣＡＧＡＣＴＧＡＡＡＡＣＣＣＴＣＴＴＧＡＡＴＧＣＣＡＡＧＡＴＡＡＡＧＧＡＧＡＡＧＡＡＧＡＡＴＴＡＣＡＧＡＡＡＴＡＣＡＴＣＣＡＧＧＡＧＡＧＣＣＡＡＧＣＡＴＴＧＧＣＡＡＡＧＣＧＡＡＧＣＴＧＣＧＧＣＣＴＣＴＴＣＣＡＧＡＡＡＣＴＡＧＧＡＧＡＡＴＡＴＴＡＣＴＴＡＣＡＡＡＡＴＧＣＧＴＴＴＣＴＣＧＴＴＧＣＴＴＡＣＡＣＡＡＡＧＡＡＡＧＣＣＣＣＣＣＡＧＣＴＧＡＣＣＴＣＧＴＣＧＧＡＧＣＴＧＡＴＧＧＣＣＡＴＣＡＣＣＡＧＡＡＡＡＡＴＧＧＣＡＧＣＣＡＣＡＧＣＡＧＣＣＡＣＴＴＧＴＴＧＣＣＡＡＣＴＣＡＧＴＧＡＧＧＡＣＡＡＡＣＴＡＴＴＧＧＣＣＴＧＴＧＧＣＧＡＧＧＧＡＧＣＧＧＣＴＧＡＣＡＴＴＡＴＴＡＴＣＧＧＡＣＡＣＴＴＡＴＧＴＡＴＣＡＧＡＣＡＴＧＡＡＡＴＧＡＣＴＣＣＡＧＴＡＡＡＣＣＣＴＧＧＴＧＴＴＧＧＣＣＡＧＴＧＣＴＧＣＡＣＴＴＣＴＴＣＡＴＡＴＧＣＣＡＡＣＡＧＧＡＧＧＣＣＡＴＧＣＴＴＣＡＧＣＡＧＣＴＴＧＧＴＧＧＴＧＧＡＴＧＡＡＡＣＡＴＡＴＧＴＣＣＣＴＣＣＴＧＣＡＴＴＣＴＣＴＧＡＴＧＡＣＡＡＧＴＴＣＡＴＴＴＴＣＣＡＴＡＡＧＧＡＴＣＴＧＴＧＣＣＡＡＧＣＴＣＡＧＧＧＴＧＴＡＧＣＧＣＴＧＣＡＡＡＣＧＡＴＧＡＡＧＣＡＡＧＡＧＴＴＴＣＴＣＡＴＴＡＡＣＣＴＴＧＴＧＡＡＧＣＡＡＡＡＧＣＣＡＣＡＡＡＴＡＡＣＡＧＡＧＧＡＡＣＡＡＣＴＴＧＡＧＧＣＴＧＴＣＡＴＴＧＣＡＧＡＴＴＴＣＴＣＡＧＧＣＣＴＧＴＴＧＧＡＧＡＡＡＴＧＣＴＧＣＣＡＡＧＧＣＣＡＧＧＡＡＣＡＧＧＡＡＧＴＣＴＧＣＴＴＴＧＣＴＧＡＡＧＡＧＧＧＡＣＡＡＡＡＡＣＴＧＡＴＴＴＣＡＡＡＡＡＣＴＣＧＴＧＣＴＧＣＴＴＴＧＧＧＡＧＴＴ
ＣＳＮＫ１Ａ１Ｌ  ＮＰ＿６６０２０４  カゼインキナーゼ１、アルファ１様全長（１−３３７）、Ｒ２２４Ｋ
アミノ酸配列（ＳＥＱ  ＩＤ  ＮＯ：５）
ＭＴＮＮＳＧＳＫＡＥＬＶＶＧＧＫＹＫＬＶＲＫＩＧＳＧＳＦＧＤＶＹＬＧＩＴＴＴＮＧＥＥＶＡＶＫＬＥＳＱＫＶＫＨＰＱＬＬＹＥＳＫＬＹＴＩＬＱＧＧＶＧＩＰＨＭＨＷＹＧＱＥＫＤＮＮＶＬＶＭＤＬＬＧＰＳＬＥＤＬＦＮＦＣＳＲＲＦＴＭＫＴＶＬＭＬＡＤＱＭＩＳＲＩＥＹＶＨＴＫＮＦＬＨＲＤＩＫＰＤＮＦＬＭＧＴＧＲＨＣＮＫＬＦＬＩＤＦＧＬＡＫＫＹＲＤＮＲＴＲＱＨＩＰＹＲＥＤＫＨＬＩＧＴＶＲＹＡＳＩＮＡＨＬＧＩＥＱＳＲＲＤＤＭＥＳＬＧＹＶＦＭＹＦＮＲＴＳＬＰＷＱＧＬＫＡＭＴＫＫＱＫＹＥＫＩＳＥＫＫＭＳＴＰＶＥＶＬＣＫＧＦＰＡＥＦＡＭＹＬＮＹＣＲＧＬＲＦＥＥＶＰＤＹＭＹＬＲＱＬＦＲＩＬＦＲＴＬＮＨＱＹＤＹＴＦＤＷＴＭＬＫＱＫＡＡＱＱＡＡＳＳＳＧＱＧＱＱＡＱＴＱＴＧＫＱＴＥＫＮＫＮＮＶＫＤＮ
コードするヌクレオチド配列（ＳＥＱ  ＩＤ  ＮＯ：６）
ＡＴＧＡＣＡＡＡＣＡＡＣＡＧＣＧＧＣＴＣＣＡＡＡＧＣＣＧＡＡＣＴＣＧＴＴＧＴＧＧＧＡＧＧＧＡＡＡＴＡＣＡＡＡＣＴＧＧＴＧＣＧＧＡＡＧＡＴＣＧＧＧＴＣＴＧＧＣＴＣＣＴＴＴＧＧＡＧＡＣＧＴＴＴＡＴＣＴＧＧＧＣＡＴＣＡＣＣＡＣＣＡＣＣＡＡＣＧＧＣＧＡＧＧＡＡＧＴＡＧＣＡＧＴＧＡＡＧＣＴＧＧＡＡＴＣＴＣＡＧＡＡＧＧＴＣＡＡＧＣＡＣＣＣＣＣＡＧＴＴＧＣＴＧＴＡＴＧＡＧＡＧＣＡＡＡＣＴＣＴＡＣＡＣＧＡＴＴＣＴＴＣＡＡＧＧＴＧＧＧＧＴＴＧＧＣＡＴＣＣＣＣＣＡＣＡＴＧＣＡＣＴＧＧＴＡＴＧＧＴＣＡＧＧＡＡＡＡＡＧＡＣＡＡＣＡＡＴＧＴＧＣＴＡＧＴＣＡＴＧＧＡＣＣＴＴＣＴＧＧＧＡＣＣＣＡＧＣＣＴＣＧＡＡＧＡＣＣＴＣＴＴＴＡＡＴＴＴＣＴＧＴＴＣＡＡＧＡＡＧＧＴＴＣＡＣＣＡＴＧＡＡＡＡＣＴＧＴＡＣＴＴＡＴＧＴＴＡＧＣＣＧＡＣＣＡＧＡＴＧＡＴＣＡＧＣＡＧＡＡＴＴＧＡＡＴＡＣＧＴＧＣＡＴＡＣＡＡＡＧＡＡＴＴＴＴＣＴＡＣＡＣＣＧＡＧＡＣＡＴＴＡＡＡＣＣＡＧＡＴＡＡＣＴＴＣＣＴＧＡＴＧＧＧＴＡＣＴＧＧＧＣＧＴＣＡＣＴＧＴＡＡＴＡＡＧＴＴＧＴＴＣＣＴＴＡＴＴＧＡＴＴＴＴＧＧＴＴＴＧＧＣＣＡＡＡＡＡＧＴＡＣＡＧＡＧＡＣＡＡＣＡＧＧＡＣＣＡＧＧＣＡＡＣＡＣＡＴＡＣＣＧＴＡＣＡＧＡＧＡＡＧＡＴＡＡＡＣＡＣＣＴＣＡＴＴＧＧＣＡＣＴＧＴＣＣＧＡＴＡＴＧＣＣＡＧＣＡＴＣＡＡＴＧＣＡＣＡＴＣＴＴＧＧＴＡＴＴＧＡＧＣＡＧＡＧＣＣＧＣＣＧＡＧＡＴＧＡＣＡＴＧＧＡＡＴＣＣＴＴＡＧＧＣＴＡＣＧＴＴＴＴＣＡＴＧＴＡＴＴＴＴＡＡＴＡＧＡＡＣＣＡＧＣＣＴＧＣＣＧＴＧＧＣＡＡＧＧＡＣＴＡＡＡＧＧＣＴＡＴＧＡＣＡＡＡＡＡＡＡＣＡＡＡＡＡＴＡＴＧＡＡＡＡＧＡＴＴＡＧＴＧＡＧＡＡＧＡＡＧＡＴＧＴＣＣＡＣＣＣＣＴＧＴＴＧＡＡＧＴＴＴＴＡＴＧＴＡＡＧＧＧＧＴＴＴＣＣＴＧＣＡＧＡＡＴＴＣＧＣＣＡＴＧＴＡＣＴＴＧＡＡＣＴＡＣＴＧＴＣＧＴＧＧＧＣＴＧＣＧＣＴＴＴＧＡＧＧＡＡＧＴＣＣＣＡＧＡＴＴＡＣＡＴＧＴＡＴＣＴＧＡＧＧＣＡＧＣＴＡＴＴＣＣＧＣＡＴＴＣＴＴＴＴＣＡＧＧＡＣＣＣＴＧＡＡＣＣＡＣＣＡＡＴＡＴＧＡＣＴＡＣＡＣＡＴＴＴＧＡＴＴＧＧＡＣＧＡＴＧＴＴＡＡＡＧＣＡＧＡＡＡＧＣＡＧＣＡＣＡＧＣＡＧＧＣＡＧＣＣＴＣＴＴＣＣＡＧＴＧＧＧＣＡＧＧＧＴＣＡＧＣＡＧＧＣＣＣＡＡＡＣＣＣＡＧＡＣＡＧＧＣＡＡＧＣＡＡＡＣＴＧＡＡＡＡＡＡＡＣＡＡＧＡＡＴＡＡＴＧＴＧＡＡＡＧＡＴＡＡＣ
ＤＨＦＲ  ＮＰ＿０００７８２  ジヒドロ葉酸還元酵素  全長（１−１８７）
アミノ酸配列（ＳＥＱ  ＩＤ  ＮＯ：７）
ＭＶＧＳＬＮＣＩＶＡＶＳＱＮＭＧＩＧＫＮＧＤＬＰＷＰＰＬＲＮＥＦＲＹＦＱＲＭＴＴＴＳＳＶＥＧＫＱＮＬＶＩＭＧＫＫＴＷＦＳＩＰＥＫＮＲＰＬＫＧＲＩＮＬＶＬＳＲＥＬＫＥＰＰＱＧＡＨＦＬＳＲＳＬＤＤＡＬＫＬＴＥＱＰＥＬＡＮＫＶＤＭＶＷＩＶＧＧＳＳＶＹＫＥＡＭＮＨＰＧＨＬＫＬＦＶＴＲＩＭＱＤＦＥＳＤＴＦＦＰＥＩＤＬＥＫＹＫＬＬＰＥＹＰＧＶＬＳＤＶＱＥＥＫＧＩＫＹＫＦＥＶＹＥＫＮＤ
コードするヌクレオチド配列（ＳＥＱ  ＩＤ  ＮＯ：８）
ＡＴＧＧＴＴＧＧＴＴＣＧＣＴＡＡＡＣＴＧＣＡＴＣＧＴＣＧＣＴＧＴＧＴＣＣＣＡＧＡＡＣＡＴＧＧＧＣＡＴＣＧＧＣＡＡＧＡＡＣＧＧＧＧＡＣＣＴＧＣＣＣＴＧＧＣＣＡＣＣＧＣＴＣＡＧＧＡＡＴＧＡＡＴＴＣＡＧＡＴＡＴＴＴＣＣＡＧＡＧＡＡＴＧＡＣＣＡＣＡＡＣＣＴＣＴＴＣＡＧＴＡＧＡＡＧＧＴＡＡＡＣＡＧＡＡＴＣＴＧＧＴＧＡＴＴＡＴＧＧＧＴＡＡＧＡＡＧＡＣＣＴＧＧＴＴＣＴＣＣＡＴＴＣＣＴＧＡＧＡＡＧＡＡＴＣＧＡＣＣＴＴＴＡＡＡＧＧＧＴＡＧＡＡＴＴＡＡＴＴＴＡＧＴＴＣＴＣＡＧＣＡＧＡＧＡＡＣＴＣＡＡＧＧＡＡＣＣＴＣＣＡＣＡＡＧＧＡＧＣＴＣＡＴＴＴＴＣＴＴＴＣＣＡＧＡＡＧＴＣＴＡＧＡＴＧＡＴＧＣＣＴＴＡＡＡＡＣＴＴＡＣＴＧＡＡＣＡＡＣＣＡＧＡＡＴＴＡＧＣＡＡＡＴＡＡＡＧＴＡＧＡＣＡＴＧＧＴＣＴＧＧＡＴＡＧＴＴＧＧＴＧＧＣＡＧＴＴＣＴＧＴＴＴＡＴＡＡＧＧＡＡＧＣＣＡＴＧＡＡＴＣＡＣＣＣＡＧＧＣＣＡＴＣＴＴＡＡＡＣＴＡＴＴＴＧＴＧＡＣＡＡＧＧＡＴＣＡＴＧＣＡＡＧＡＣＴＴＴＧＡＡＡＧＴＧＡＣＡＣＧＴＴＴＴＴＴＣＣＡＧＡＡＡＴＴＧＡＴＴＴＧＧＡＧＡＡＡＴＡＴＡＡＡＣＴＴＣＴＧＣＣＡＧＡＡＴＡＣＣＣＡＧＧＴＧＴＴＣＴＣＴＣＴＧＡＴＧＴＣＣＡＧＧＡＧＧＡＧＡＡＡＧＧＣＡＴＴＡＡＧＴＡＣＡＡＡＴＴＴＧＡＡＧＴＡＴＡＴＧＡＧＡＡＧＡＡＴＧＡＴ
ＭＢＮＬ１  ＮＰ＿０６６３６８  マッスルブラインド様（ショウジョウバエ）全長（１−３８２）
アミノ酸配列（ＳＥＱ  ＩＤ  ＮＯ：９）
ＭＡＶＳＶＴＰＩＲＤＴＫＷＬＴＬＥＶＣＲＥＦＱＲＧＴＣＳＲＰＤＴＥＣＫＦＡＨＰＳＫＳＣＱＶＥＮＧＲＶＩＡＣＦＤＳＬＫＧＲＣＳＲＥＮＣＫＹＬＨＰＰＰＨＬＫＴＱＬＥＩＮＧＲＮＮＬＩＱＱＫＮＭＡＭＬＡＱＱＭＱＬＡＮＡＭＭＰＧＡＰＬＱＰＶＰＭＦＳＶＡＰＳＬＡＴＮＡＳＡＡＡＦＮＰＹＬＧＰＶＳＰＳＬＶＰＡＥＩＬＰＴＡＰＭＬＶＴＧＮＰＧＶＰＶＰＡＡＡＡＡＡＡＱＫＬＭＲＴＤＲＬＥＶＣＲＥＹＱＲＧＮＣＮＲＧＥＮＤＣＲＦＡＨＰＡＤＳＴＭＩＤＴＮＤＮＴＶＴＶＣＭＤＹＩＫＧＲＣＳＲＥＫＣＫＹＦＨＰＰＡＨＬＱＡＫＩＫＡＡＱＹＱＶＮＱＡＡＡＡＱＡＡＡＴＡＡＡＭＧＩＰＱＡＶＬＰＰＬＰＫＲＰＡＬＥＫＴＮＧＡＴＡＶＦＮＴＧＩＦＱＹＱＱＡＬＡＮＭＱＬＱＱＨＴＡＦＬＰＰＧＳＩＬＣＭＴＰＡＴＳＶＶＰＭＶＨＧＡＴＰＡＴＶＳＡＡＴＴＳＡＴＳＶＰＦＡＡＴＡＴＡＮＱＩＰＩＩＳＡＥＨＬＴＳＨＫＹＶＴＱＭ
コードするヌクレオチド配列（ＳＥＱ  ＩＤ  ＮＯ：１０）
ＡＴＧＧＣＴＧＴＴＡＧＴＧＴＣＡＣＡＣＣＡＡＴＴＣＧＧＧＡＣＡＣＡＡＡＡＴＧＧＣＴＡＡＣＡＣＴＧＧＡＡＧＴＡＴＧＴＡＧＡＧＡＧＴＴＣＣＡＧＡＧＧＧＧＧＡＣＴＴＧＣＴＣＡＣＧＧＣＣＡＧＡＣＡＣＧＧＡＡＴＧＴＡＡＡＴＴＴＧＣＡＣＡＴＣＣＴＴＣＧＡＡＡＡＧＣＴＧＣＣＡＡＧＴＴＧＡＡＡＡＴＧＧＡＣＧＡＧＴＡＡＴＣＧＣＣＴＧＣＴＴＴＧＡＴＴＣＡＴＴＧＡＡＡＧＧＣＣＧＴＴＧＣＴＣＣＡＧＧＧＡＧＡＡＣＴＧＣＡＡＡＴＡＴＣＴＴＣＡＴＣＣＡＣＣＣＣＣＡＣＡＴＴＴＡＡＡＡＡＣＧＣＡＧＴＴＧＧＡＧＡＴＡＡＡＴＧＧＡＣＧＣＡＡＴＡＡＣＴＴＧＡＴＴＣＡＧＣＡＧＡＡＧＡＡＣＡＴＧＧＣＣＡＴＧＴＴＧＧＣＣＣＡＧＣＡＡＡＴＧＣＡＡＣＴＡＧＣＣＡＡＴＧＣＣＡＴＧＡＴＧＣＣＴＧＧＴＧＣＣＣＣＡＴＴＡＣＡＡＣＣＣＧＴＧＣＣＡＡＴＧＴＴＴＴＣＡＧＴＴＧＣＡＣＣＡＡＧＣＴＴＡＧＣＣＡＣＣＡＡＴＧＣＡＴＣＡＧＣＡＧＣＣＧＣＣＴＴＴＡＡＴＣＣＣＴＡＴＣＴＧＧＧＡＣＣＴＧＴＴＴＣＴＣＣＡＡＧＣＣＴＧＧＴＣＣＣＧＧＣＡＧＡＧＡＴＣＴＴＧＣＣＧＡＣＴＧＣＡＣＣＡＡＴＧＴＴＧＧＴＴＡＣＡＧＧＧＡＡＴＣＣＧＧＧＴＧＴＣＣＣＴＧＴＡＣＣＴＧＣＡＧＣＴＧＣＴＧＣＡＧＣＴＧＣＴＧＣＡＣＡＧＡＡＡＴＴＡＡＴＧＣＧＡＡＣＡＧＡＣＡＧＡＣＴＴＧＡＧＧＴＡＴＧＴＣＧＡＧＡＧＴＡＣＣＡＡＣＧＴＧＧＣＡＡＴＴＧＣＡＡＣＣＧＡＧＧＡＧＡＡＡＡＴＧＡＴＴＧＴＣＧＧＴＴＴＧＣＴＣＡＴＣＣＴＧＣＴＧＡＣＡＧＣＡＣＡＡＴＧＡＴＴＧＡＣＡＣＣＡＡＴＧＡＣＡＡＣＡＣＡＧＴＣＡＣＴＧＴＧＴＧＴＡＴＧＧＡＴＴＡＣＡＴＣＡＡＡＧＧＧＡＧＡＴＧＣＴＣＴＣＧＧＧＡＡＡＡＧＴＧＣＡＡＡＴＡＣＴＴＴＣＡＴＣＣＣＣＣＴＧＣＡＣＡＴＴＴＧＣＡＡＧＣＣＡＡＧＡＴＣＡＡＧＧＣＴＧＣＣＣＡＡＴＡＣＣＡＧＧＴＣＡＡＣＣＡＧＧＣＴＧＣＡＧＣＴＧＣＡＣＡＧＧＣＴＧＣＡＧＣＣＡＣＣＧＣＡＧＣＴＧＣＣＡＴＧＧＧＡＡＴＴＣＣＴＣＡＡＧＣＴＧＴＡＣＴＴＣＣＣＣＣＡＴＴＡＣＣＡＡＡＧＡＧＧＣＣＴＧＣＴＣＴＴＧＡＡＡＡＡＡＣＣＡＡＣＧＧＴＧＣＣＡＣＣＧＣＡＧＴＣＴＴＴＡＡＣＡＣＴＧＧＴＡＴＴＴＴＣＣＡＡＴＡＣＣＡＡＣＡＧＧＣＴＣＴＡＧＣＣＡＡＣＡＴＧＣＡＧＴＴＡＣＡＡＣＡＧＣＡＴＡＣＡＧＣＡＴＴＴＣＴＣＣＣＡＣＣＡＧＧＣＴＣＡＡＴＡＴＴＧＴＧＣＡＴＧＡＣＡＣＣＣＧＣＴＡＣＡＡＧＴＧＴＴＧＴＴＣＣＣＡＴＧＧＴＧＣＡＣＧＧＴＧＣＴＡＣＧＣＣＡＧＣＣＡＣＴＧＴＧＴＣＣＧＣＡＧＣＡＡＣＡＡＣＡＴＣＴＧＣＣＡＣＡＡＧＴＧＴＴＣＣＣＴＴＣＧＣＴＧＣＡＡＣＡＧＣＣＡＣＡＧＣＣＡＡＣＣＡＧＡＴＡＣＣＣＡＴＡＡＴＡＴＣＴＧＣＣＧＡＡＣＡＴＣＴＧＡＣＴＡＧＣＣＡＣＡＡＧＴＡＴＧＴＴＡＣＣＣＡＧＡＴＧ
ＴＰ５３  ＡＢＭ８６６３０  腫瘍タンパク質ｐ５３  全長（１−３９３）
アミノ酸配列（ＳＥＱ  ＩＤ  ＮＯ：１１）
ＭＥＥＰＱＳＤＰＳＶＥＰＰＬＳＱＥＴＦＳＤＬＷＫＬＬＰＥＮＮＶＬＳＰＬＰＳＱＡＭＤＤＬＭＬＳＰＤＤＩＥＱＷＦＴＥＤＰＧＰＤＥＡＰＲＭＰＥＡＡＰＲＶＡＰＡＰＡＡＰＴＰＡＡＰＡＰＡＰＳＷＰＬＳＳＳＶＰＳＱＫＴＹＱＧＳＹＧＦＲＬＧＦＬＨＳＧＴＡＫＳＶＴＣＴＹＳＰＡＬＮＫＭＦＣＱＬＡＫＴＣＰＶＱＬＷＶＤＳＴＰＰＰＧＴＲＶＲＡＭＡＩＹＫＱＳＱＨＭＴＥＶＶＲＲＣＰＨＨＥＲＣＳＤＳＤＧＬＡＰＰＱＨＬＩＲＶＥＧＮＬＲＶＥＹＬＤＤＲＮＴＦＲＨＳＶＶＶＰＹＥＰＰＥＶＧＳＤＣＴＴＩＨＹＮＹＭＣＮＳＳＣＭＧＧＭＮＲＲＰＩＬＴＩＩＴＬＥＤＳＳＧＮＬＬＧＲＮＳＦＥＶＲＶＣＡＣＡＧＲＤＲＲＴＥＥＥＮＬＲＫＫＧＥＰＨＨＥＬＰＳＧＳＴＫＲＡＬＰＮＮＴＳＳＳＰＱＰＫＫＫＰＬＤＧＥＹＦＴＬＱＩＲＧＲＥＲＦＥＭＦＲＥＬＮＥＡＬＥＬＫＤＡＱＡＧＫＥＰＧＧＳＲＡＨＳＳＨＬＫＳＫＫＧＱＳＴＳＲＨＫＫＬＭＦＫＴＥＧＰＤＳＤ
コードするヌクレオチド配列（ＳＥＱ  ＩＤ  ＮＯ：１２）
ＡＴＧＧＡＧＧＡＧＣＣＧＣＡＧＴＣＡＧＡＴＣＣＴＡＧＣＧＴＣＧＡＧＣＣＣＣＣＴＣＴＧＡＧＴＣＡＧＧＡＡＡＣＡＴＴＴＴＣＡＧＡＣＣＴＡＴＧＧＡＡＡＣＴＡＣＴＴＣＣＴＧＡＡＡＡＣＡＡＣＧＴＴＣＴＧＴＣＣＣＣＣＴＴＧＣＣＧＴＣＣＣＡＡＧＣＡＡＴＧＧＡＴＧＡＴＴＴＧＡＴＧＣＴＧＴＣＣＣＣＧＧＡＣＧＡＴＡＴＴＧＡＡＣＡＡＴＧＧＴＴＣＡＣＴＧＡＡＧＡＣＣＣＡＧＧＴＣＣＡＧＡＴＧＡＡＧＣＴＣＣＣＡＧＡＡＴＧＣＣＡＧＡＧＧＣＴＧＣＴＣＣＣＣＧＣＧＴＧＧＣＣＣＣＴＧＣＡＣＣＡＧＣＡＧＣＴＣＣＴＡＣＡＣＣＧＧＣＧＧＣＣＣＣＴＧＣＡＣＣＡＧＣＣＣＣＣＴＣＣＴＧＧＣＣＣＣＴＧＴＣＡＴＣＴＴＣＴＧＴＣＣＣＴＴＣＣＣＡＧＡＡＡＡＣＣＴＡＣＣＡＧＧＧＣＡＧＣＴＡＣＧＧＴＴＴＣＣＧＴＣＴＧＧＧＣＴＴＣＴＴＧＣＡＴＴＣＴＧＧＧＡＣＡＧＣＣＡＡＧＴＣＴＧＴＧＡＣＴＴＧＣＡＣＧＴＡＣＴＣＣＣＣＴＧＣＣＣＴＣＡＡＣＡＡＧＡＴＧＴＴＴＴＧＣＣＡＡＣＴＧＧＣＣＡＡＧＡＣＣＴＧＣＣＣＴＧＴＧＣＡＧＣＴＧＴＧＧＧＴＴＧＡＴＴＣＣＡＣＡＣＣＣＣＣＧＣＣＣＧＧＣＡＣＣＣＧＣＧＴＣＣＧＣＧＣＣＡＴＧＧＣＣＡＴＣＴＡＣＡＡＧＣＡＧＴＣＡＣＡＧＣＡＣＡＴＧＡＣＧＧＡＧＧＴＴＧＴＧＡＧＧＣＧＣＴＧＣＣＣＣＣＡＣＣＡＴＧＡＧＣＧＣＴＧＣＴＣＡＧＡＴＡＧＣＧＡＴＧＧＴＣＴＧＧＣＣＣＣＴＣＣＴＣＡＧＣＡＴＣＴＴＡＴＣＣＧＡＧＴＧＧＡＡＧＧＡＡＡＴＴＴＧＣＧＴＧＴＧＧＡＧＴＡＴＴＴＧＧＡＴＧＡＣＡＧＡＡＡＣＡＣＴＴＴＴＣＧＡＣＡＴＡＧＴＧＴＧＧＴＧＧＴＧＣＣＣＴＡＴＧＡＧＣＣＧＣＣＴＧＡＧＧＴＴＧＧＣＴＣＴＧＡＣＴＧＴＡＣＣＡＣＣＡＴＣＣＡＣＴＡＣＡＡＣＴＡＣＡＴＧＴＧＴＡＡＣＡＧＴＴＣＣＴＧＣＡＴＧＧＧＣＧＧＣＡＴＧＡＡＣＣＧＧＡＧＧＣＣＣＡＴＣＣＴＣＡＣＣＡＴＣＡＴＣＡＣＡＣＴＧＧＡＡＧＡＣＴＣＣＡＧＴＧＧＴＡＡＴＣＴＡＣＴＧＧＧＡＣＧＧＡＡＣＡＧＣＴＴＴＧＡＧＧＴＧＣＧＴＧＴＴＴＧＴＧＣＣＴＧＴＧＣＴＧＧＧＡＧＡＧＡＣＣＧＧＣＧＣＡＣＡＧＡＧＧＡＡＧＡＧＡＡＴＣＴＣＣＧＣＡＡＧＡＡＡＧＧＧＧＡＧＣＣＴＣＡＣＣＡＣＧＡＧＣＴＧＣＣＣＴＣＡＧＧＧＡＧＣＡＣＴＡＡＧＣＧＡＧＣＡＣＴＧＣＣＣＡＡＣＡＡＣＡＣＣＡＧＣＴＣＣＴＣＴＣＣＣＣＡＧＣＣＡＡＡＧＡＡＧＡＡＡＣＣＡＣＴＧＧＡＴＧＧＡＧＡＡＴＡＴＴＴＣＡＣＣＣＴＴＣＡＧＡＴＣＣＧＴＧＧＧＣＧＴＧＡＧＣＧＣＴＴＣＧＡＧＡＴＧＴＴＣＣＧＡＧＡＧＣＴＧＡＡＴＧＡＧＧＣＣＴＴＧＧＡＡＣＴＣＡＡＧＧＡＴＧＣＣＣＡＧＧＣＴＧＧＧＡＡＧＧＡＧＣＣＡＧＧＧＧＧＧＡＧＣＡＧＧＧＣＴＣＡＣＴＣＣＡＧＣＣＡＣＣＴＧＡＡＧＴＣＣＡＡＡＡＡＧＧＧＴＣＡＧＴＣＴＡＣＣＴＣＣＣＧＣＣＡＴＡＡＡＡＡＡＣＴＣＡＴＧＴＴＣＡＡＧＡＣＡＧＡＡＧＧＧＣＣＴＧＡＣＴＣＡＧＡＣ
ＰＲＬ  ＮＰ＿０００９３９  プロラクチン  全長（１−２２７）
アミノ酸配列（ＳＥＱ  ＩＤ  ＮＯ：１３）
ＭＮＩＫＧＳＰＷＫＧＳＬＬＬＬＬＶＳＮＬＬＬＣＱＳＶＡＰＬＰＩＣＰＧＧＡＡＲＣＱＶＴＬＲＤＬＦＤＲＡＶＶＬＳＨＹＩＨＮＬＳＳＥＭＦＳＥＦＤＫＲＹＴＨＧＲＧＦＩＴＫＡＩＮＳＣＨＴＳＳＬＡＴＰＥＤＫＥＱＡＱＱＭＮＱＫＤＦＬＳＬＩＶＳＩＬＲＳＷＮＥＰＬＹＨＬＶＴＥＶＲＧＭＱＥＡＰＥＡＩＬＳＫＡＶＥＩＥＥＱＴＫＲＬＬＥＧＭＥＬＩＶＳＱＶＨＰＥＴＫＥＮＥＩＹＰＶＷＳＧＬＰＳＬＱＭＡＤＥＥＳＲＬＳＡＹＹＮＬＬＨＣＬＲＲＤＳＨＫＩＤＮＹＬＫＬＬＫＣＲＩＩＨＮＮＮＣ
コードするヌクレオチド配列（ＳＥＱ  ＩＤ  ＮＯ：１４）
ＡＴＧＡＡＣＡＴＣＡＡＡＧＧＡＴＣＧＣＣＡＴＧＧＡＡＡＧＧＧＴＣＣＣＴＣＣＴＧＣＴＧＣＴＧＣＴＧＧＴＧＴＣＡＡＡＣＣＴＧＣＴＣＣＴＧＴＧＣＣＡＧＡＧＣＧＴＧＧＣＣＣＣＣＴＴＧＣＣＣＡＴＣＴＧＴＣＣＣＧＧＣＧＧＧＧＣＴＧＣＣＣＧＡＴＧＣＣＡＧＧＴＧＡＣＣＣＴＴＣＧＡＧＡＣＣＴＧＴＴＴＧＡＣＣＧＣＧＣＣＧＴＣＧＴＣＣＴＧＴＣＣＣＡＣＴＡＣＡＴＣＣＡＴＡＡＣＣＴＣＴＣＣＴＣＡＧＡＡＡＴＧＴＴＣＡＧＣＧＡＡＴＴＣＧＡＴＡＡＡＣＧＧＴＡＴＡＣＣＣＡＴＧＧＣＣＧＧＧＧＧＴＴＣＡＴＴＡＣＣＡＡＧＧＣＣＡＴＣＡＡＣＡＧＣＴＧＣＣＡＣＡＣＴＴＣＴＴＣＣＣＴＴＧＣＣＡＣＣＣＣＣＧＡＡＧＡＣＡＡＧＧＡＧＣＡＡＧＣＣＣＡＡＣＡＧＡＴＧＡＡＴＣＡＡＡＡＡＧＡＣＴＴＴＣＴＧＡＧＣＣＴＧＡＴＡＧＴＣＡＧＣＡＴＡＴＴＧＣＧＡＴＣＣＴＧＧＡＡＴＧＡＧＣＣＴＣＴＧＴＡＴＣＡＴＣＴＧＧＴＣＡＣＧＧＡＡＧＴＡＣＧＴＧＧＴＡＴＧＣＡＡＧＡＡＧＣＣＣＣＧＧＡＧＧＣＴＡＴＣＣＴＡＴＣＣＡＡＡＧＣＴＧＴＡＧＡＧＡＴＴＧＡＧＧＡＧＣＡＡＡＣＣＡＡＡＣＧＧＣＴＴＣＴＡＧＡＧＧＧＣＡＴＧＧＡＧＣＴＧＡＴＡＧＴＣＡＧＣＣＡＧＧＴＴＣＡＴＣＣＴＧＡＡＡＣＣＡＡＡＧＡＡＡＡＴＧＡＧＡＴＣＴＡＣＣＣＴＧＴＣＴＧＧＴＣＧＧＧＡＣＴＴＣＣＡＴＣＣＣＴＧＣＡＧＡＴＧＧＣＴＧＡＴＧＡＡＧＡＧＴＣＴＣＧＣＣＴＴＴＣＴＧＣＴＴＡＴＴＡＴＡＡＣＣＴＧＣＴＣＣＡＣＴＧＣＣＴＡＣＧＣＡＧＧＧＡＴＴＣＡＣＡＴＡＡＡＡＴＣＧＡＣＡＡＴＴＡＴＣＴＣＡＡＧＣＴＣＣＴＧＡＡＧＴＧＣＣＧＡＡＴＣＡＴＣＣＡＣＡＡＣＡＡＣＡＡＣＴＧＣＴＴＧ
ＰＳＭＣ１  ＮＰ＿０３２９７３  プロテアソーム（プロソーム、マクロパイン）２６Ｓサブユニット、ＡＴＰアーゼ、１  全長（１−４４０）
アミノ酸配列（ＳＥＱ  ＩＤ  ＮＯ：１５）
ＭＧＱＳＱＳＧＧＨＧＰＧＧＧＫＫＤＤＫＤＫＫＫＫＹＥＰＰＶＰＴＲＶＧＫＫＫＫＫＴＫＧＰＤＡＡＳＫＬＰＬＶＴＰＨＴＱＣＲＬＫＬＬＫＬＥＲＩＫＤＹＬＬＭＥＥＥＦＩＲＮＱＥＱＭＫＰＬＥＥＫＱＥＥＥＲＳＫＶＤＤＬＲＧＴＰＭＳＶＧＴＬＥＥＩＩＤＤＮＨＡＩＶＳＴＳＶＧＳＥＨＹＶＳＩＬＳＦＶＤＫＤＬＬＥＰＧＣＳＶＬＬＮＨＫＶＨＡＶＩＧＶＬＭＤＤＴＤＰＬＶＴＶＭＫＶＥＫＡＰＱＥＴＹＡＤＩＧＧＬＤＮＱＩＱＥＩＫＥＳＶＥＬＰＬＴＨＰＥＹＹＥＥＭＧＩＫＰＰＫＧＶＩＬＹＧＰＰＧＴＧＫＴＬＬＡＫＡＶＡＮＱＴＳＡＴＦＬＲＶＶＧＳＥＬＩＱＫＹＬＧＤＧＰＫＬＶＲＥＬＦＲＶＡＥＥＨＡＰＳＩＶＦＩＤＥＩＤＡＩＧＴＫＲＹＤＳＮＳＧＧＥＲＥＩＱＲＴＭＬＥＬＬＮＱＬＤＧＦＤＳＲＧＤＶＫＶＩＭＡＴＮＲＩＥＴＬＤＰＡＬＩＲＰＧＲＩＤＲＫＩＥＦＰＬＰＤＥＫＴＫＫＲＩＦＱＩＨＴＳＲＭＴＬＡＤＤＶＴＬＤＤＬＩＭＡＫＤＤＬＳＧＡＤＩＫＡＩＣＴＥＡＧＬＭＡＬＲＥＲＲＭＫＶＴＮＥＤＦＫＫＳＫＥＮＶＬＹＫＫＱＥＧＴＰＥＧＬＹＬ
コードするヌクレオチド配列（ＳＥＱ  ＩＤ  ＮＯ：１６）
ＡＴＧＧＧＴＣＡＡＡＧＴＣＡＧＡＧＴＧＧＴＧＧＴＣＡＴＧＧＴＣＣＴＧＧＡＧＧＴＧＧＣＡＡＧＡＡＧＧＡＴＧＡＣＡＡＧＧＡＣＡＡＧＡＡＡＡＡＧＡＡＡＴＡＴＧＡＡＣＣＴＣＣＴＧＴＡＣＣＡＡＣＴＡＧＡＧＴＧＧＧＧＡＡＡＡＡＧＡＡＧＡＡＧＡＡＡＡＣＡＡＡＧＧＧＡＣＣＡＧＡＴＧＣＴＧＣＣＡＧＣＡＡＡＣＴＧＣＣＡＣＴＧＧＴＧＡＣＡＣＣＴＣＡＣＡＣＴＣＡＧＴＧＣＣＧＧＴＴＡＡＡＡＴＴＡＣＴＧＡＡＧＴＴＡＧＡＧＡＧＡＡＴＴＡＡＡＧＡＣＴＡＴＣＴＴＣＴＣＡＴＧＧＡＧＧＡＡＧＡＡＴＴＣＡＴＴＡＧＡＡＡＴＣＡＧＧＡＡＣＡＡＡＴＧＡＡＡＣＣＡＴＴＡＧＡＡＧＡＡＡＡＧＣＡＡＧＡＧＧＡＧＧＡＡＡＧＡＴＣＡＡＡＡＧＴＧＧＡＴＧＡＴＣＴＧＡＧＧＧＧＧＡＣＣＣＣＧＡＴＧＴＣＡＧＴＡＧＧＡＡＣＣＴＴＧＧＡＡＧＡＧＡＴＴＡＴＴＧＡＴＧＡＣＡＡＴＣＡＴＧＣＣＡＴＣＧＴＧＴＣＴＡＣＡＴＣＴＧＴＧＧＧＣＴＣＡＧＡＡＣＡＣＴＡＣＧＴＣＡＧＣＡＴＴＣＴＴＴＣＡＴＴＴＧＴＡＧＡＣＡＡＧＧＡＴＣＴＧＣＴＧＧＡＡＣＣＴＧＧＣＴＧＣＴＣＧＧＴＣＣＴＧＣＴＣＡＡＣＣＡＣＡＡＧＧＴＧＣＡＴＧＣＣＧＴＧＡＴＡＧＧＧＧＴＧＣＴＧＡＴＧＧＡＴＧＡＣＡＣＧＧＡＴＣＣＣＣＴＧＧＴＣＡＣＡＧＴＧＡＴＧＡＡＧＧＴＡＧＡＡＡＡＧＧＣＣＣＣＣＣＡＧＧＡＧＡＣＣＴＡＴＧＣＡＧＡＴＡＴＴＧＧＧＧＧＧＴＴＧＧＡＣＡＡＣＣＡＡＡＴＴＣＡＧＧＡＡＡＴＴＡＡＧＧＡＡＴＣＴＧＴＧＧＡＧＣＴＴＣＣＴＣＴＣＡＣＣＣＡＴＣＣＴＧＡＡＴＡＴＴＡＴＧＡＡＧＡＧＡＴＧＧＧＴＡＴＡＡＡＧＣＣＴＣＣＴＡＡＧＧＧＧＧＴＣＡＴＴＣＴＣＴＡＴＧＧＴＣＣＡＣＣＴＧＧＣＡＣＡＧＧＴＡＡＡＡＣＣＴＴＧＴＴＡＧＣＣＡＡＡＧＣＡＧＴＡＧＣＡＡＡＣＣＡＡＡＣＣＴＣＡＧＣＣＡＣＴＴＴＣＴＴＧＡＧＡＧＴＧＧＴＴＧＧＣＴＣＴＧＡＡＣＴＴＡＴＴＣＡＧＡＡＧＴＡＣＣＴＡＧＧＴＧＡＴＧＧＧＣＣＣＡＡＡＣＴＣＧＴＡＣＧＧＧＡＡＴＴＧＴＴＣＣＧＡＧＴＴＧＣＴＧＡＡＧＡＡＣＡＴＧＣＡＣＣＧＴＣＣＡＴＣＧＴＧＴＴＴＡＴＴＧＡＴＧＡＡＡＴＴＧＡＣＧＣＣＡＴＴＧＧＧＡＣＡＡＡＡＡＧＡＴＡＴＧＡＣＴＣＣＡＡＴＴＣＴＧＧＴＧＧＴＧＡＧＡＧＡＧＡＡＡＴＴＣＡＧＣＧＡＡＣＡＡＴＧＴＴＧＧＡＡＣＴＧＣＴＧＡＡＣＣＡＧＴＴＧＧＡＴＧＧＡＴＴＴＧＡＴＴＣＴＡＧＧＧＧＡＧＡＴＧＴＧＡＡＡＧＴＴＡＴＣＡＴＧＧＣＣＡＣＡＡＡＣＣＧＡＡＴＡＧＡＡＡＣＴＴＴＧＧＡＴＣＣＡＧＣＡＣＴＴＡＴＣＡＧＡＣＣＡＧＧＣＣＧＣＡＴＴＧＡＣＡＧＧＡＡＧＡＴＴＧＡＧＴＴＣＣＣＣＣＴＧＣＣＴＧＡＴＧＡＡＡＡＧＡＣＧＡＡＧＡＡＧＣＧＣＡＴＣＴＴＴＣＡＧＡＴＴＣＡＣＡＣＡＡＧＣＡＧＧＡＴＧＡＣＧＣＴＧＧＣＴＧＡＴＧＡＴＧＴＡＡＣＣＣＴＧＧＡＣＧＡＣＣＴＧＡＴＣＡＴＧＧＣＴＡＡＡＧＡＴＧＡＣＣＴＣＴＣＴＧＧＴＧＣＴＧＡＣＡＴＣＡＡＧＧＣＡＡＴＣＴＧＴＡＣＡＧＡＡＧＣＴＧＧＴＣＴＧＡＴＧＧＣＣＴＴＡＡＧＡＧＡＡＣＧＴＡＧＡＡＴＧＡＡＡＧＴＡＡＣＡＡＡＴＧＡＡＧＡＣＴＴＣＡＡＡＡＡＡＴＣＴＡＡＡＧＡＡＡＡＴＧＴＴＣＴＴＴＡＴＡＡＧＡＡＡＣＡＧＧＡＡＧＧＣＡＣＣＣＣＴＧＡＧＧＧＧＣＴＧＴＡＴＣＴＣ
ＰＴＧＦＲ  ＮＰ＿０００９５０  プロスタグランジンＦ受容体（ＦＰ）  全長（１−３５９）
アミノ酸配列（ＳＥＱ  ＩＤ  ＮＯ：１７）
ＭＳＭＮＮＳＫＱＬＶＳＰＡＡＡＬＬＳＮＴＴＣＱＴＥＮＲＬＳＶＦＦＳＶＩＦＭＴＶＧＩＬＳＮＳＬＡＩＡＩＬＭＫＡＹＱＲＦＲＱＫＳＫＡＳＦＬＬＬＡＳＧＬＶＩＴＤＦＦＧＨＬＩＮＧＡＩＡＶＦＶＹＡＳＤＫＥＷＩＲＦＤＱＳＮＶＬＣＳＩＦＧＩＣＭＶＦＳＧＬＣＰＬＬＬＧＳＶＭＡＩＥＲＣＩＧＶＴＫＰＩＦＨＳＴＫＩＴＳＫＨＶＫＭＭＬＳＧＶＣＬＦＡＶＦＩＡＬＬＰＩＬＧＨＲＤＹＫＩＱＡＳＲＴＷＣＦＹＮＴＥＤＩＫＤＷＥＤＲＦＹＬＬＬＦＳＦＬＧＬＬＡＬＧＶＳＬＬＣＮＡＩＴＧＩＴＬＬＲＶＫＦＫＳＱＱＨＲＱＧＲＳＨＨＬＥＭＶＩＱＬＬＡＩＭＣＶＳＣＩＣＷＳＰＦＬＶＴＭＡＮＩＧＩＮＧＮＨＳＬＥＴＣＥＴＴＬＦＡＬＲＭＡＴＷＮＱＩＬＤＰＷＶＹＩＬＬＲＫＡＶＬＫＮＬＹＫＬＡＳＱＣＣＧＶＨＶＩＳＬＨＩＷＥＬＳＳＩＫＮＳＬＫＶＡＡＩＳＥＳＰＶＡＥＫＳＡＳＴ
コードするヌクレオチド配列（ＳＥＱ  ＩＤ  ＮＯ：１８）
ＡＴＧＴＣＣＡＴＧＡＡＣＡＡＴＴＣＣＡＡＡＣＡＧＣＴＡＧＴＧＴＣＴＣＣＴＧＣＡＧＣＴＧＣＧＣＴＴＣＴＴＴＣＡＡＡＣＡＣＡＡＣＣＴＧＣＣＡＧＡＣＧＧＡＡＡＡＣＣＧＧＣＴＴＴＣＣＧＴＡＴＴＴＴＴＴＴＣＡＧＴＡＡＴＣＴＴＣＡＴＧＡＣＡＧＴＧＧＧＡＡＴＣＴＴＧＴＣＡＡＡＣＡＧＣＣＴＴＧＣＣＡＴＣＧＣＣＡＴＴＣＴＣＡＴＧＡＡＧＧＣＡＴＡＴＣＡＧＡＧＡＴＴＴＡＧＡＣＡＧＡＡＧＴＣＣＡＡＧＧＣＡＴＣＧＴＴＴＣＴＧＣＴＴＴＴＧＧＣＣＡＧＴＧＧＣＣＴＧＧＴＡＡＴＣＡＣＴＧＡＴＴＴＣＴＴＴＧＧＣＣＡＴＣＴＣＡＴＣＡＡＴＧＧＡＧＣＣＡＴＡＧＣＡＧＴＡＴＴＴＧＴＡＴＡＴＧＣＴＴＣＴＧＡＴＡＡＡＧＡＡＴＧＧＡＴＣＣＧＣＴＴＴＧＡＣＣＡＡＴＣＡＡＡＴＧＴＣＣＴＴＴＧＣＡＧＴＡＴＴＴＴＴＧＧＴＡＴＣＴＧＣＡＴＧＧＴＧＴＴＴＴＣＴＧＧＴＣＴＧＴＧＣＣＣＡＣＴＴＣＴＴＣＴＡＧＧＣＡＧＴＧＴＧＡＴＧＧＣＣＡＴＴＧＡＧＣＧＧＴＧＴＡＴＴＧＧＡＧＴＣＡＣＡＡＡＡＣＣＡＡＴＡＴＴＴＣＡＴＴＣＴＡＣＧＡＡＡＡＴＴＡＣＡＴＣＣＡＡＡＣＡＴＧＴＧＡＡＡＡＴＧＡＴＧＴＴＡＡＧＴＧＧＴＧＴＧＴＧＣＴＴＧＴＴＴＧＣＴＧＴＴＴＴＣＡＴＡＧＣＴＴＴＧＣＴＧＣＣＣＡＴＣＣＴＴＧＧＡＣＡＴＣＧＡＧＡＣＴＡＴＡＡＡＡＴＴＣＡＧＧＣＧＴＣＧＡＧＧＡＣＣＴＧＧＴＧＴＴＴＣＴＡＣＡＡＣＡＣＡＧＡＡＧＡＣＡＴＣＡＡＡＧＡＣＴＧＧＧＡＡＧＡＴＡＧＡＴＴＴＴＡＴＣＴＴＣＴＡＣＴＴＴＴＴＴＣＴＴＴＴＣＴＧＧＧＧＣＴＣＴＴＡＧＣＣＣＴＴＧＧＴＧＴＴＴＣＡＴＴＧＴＴＧＴＧＣＡＡＴＧＣＡＡＴＣＡＣＡＧＧＡＡＴＴＡＣＡＣＴＴＴＴＡＡＧＡＧＴＴＡＡＡＴＴＴＡＡＡＡＧＴＣＡＧＣＡＧＣＡＣＡＧＡＣＡＡＧＧＣＡＧＡＴＣＴＣＡＴＣＡＴＴＴＧＧＡＡＡＴＧＧＴＡＡＴＣＣＡＧＣＴＣＣＴＧＧＣＧＡＴＡＡＴＧＴＧＴＧＴＣＴＣＣＴＧＴＡＴＴＴＧＴＴＧＧＡＧＣＣＣＡＴＴＴＣＴＧＧＴＴＡＣＡＡＴＧＧＣＣＡＡＣＡＴＴＧＧＡＡＴＡＡＡＴＧＧＡＡＡＴＣＡＴＴＣＴＣＴＧＧＡＡＡＣＣＴＧＴＧＡＡＡＣＡＡＣＡＣＴＴＴＴＴＧＣＴＣＴＣＣＧＡＡＴＧＧＣＡＡＣＡＴＧＧＡＡＴＣＡＡＡＴＣＴＴＡＧＡＴＣＣＴＴＧＧＧＴＡＴＡＴＡＴＴＣＴＴＣＴＡＣＧＡＡＡＧＧＣＴＧＴＣＣＴＴＡＡＧＡＡＴＣＴＣＴＡＴＡＡＧＣＴＴＧＣＣＡＧＴＣＡＡＴＧＣＴＧＴＧＧＡＧＴＧＣＡＴＧＴＣＡＴＣＡＧＣＴＴＡＣＡＴＡＴＴＴＧＧＧＡＧＣＴＴＡＧＴＴＣＣＡＴＴＡＡＡＡＡＴＴＣＣＴＴＡＡＡＧＧＴＴＧＣＴＧＣＴＡＴＴＴＣＴＧＡＧＴＣＡＣＣＡＧＴＴＧＣＡＧＡＧＡＡＡＴＣＡＧＣＡＡＧＣＡＣＣ
ＰＴＰＲＡ  ＮＰ＿５４３０３０  タンパク質チロシンホスファターゼ、受容体タイプ、Ａ  全長（１−７９３）
アミノ酸配列（ＳＥＱ  ＩＤ  ＮＯ：１９）
ＭＤＳＷＦＩＬＶＬＬＧＳＧＬＩＣＶＳＡＮＮＡＴＴＶＡＰＳＶＧＩＴＲＬＩＮＳＳＴＡＥＰＶＫＥＥＡＫＴＳＮＰＴＳＳＬＴＳＬＳＶＡＰＴＦＳＰＮＩＴＬＧＰＴＹＬＴＴＶＮＳＳＤＳＤＮＧＴＴＲＴＡＳＴＮＳＩＧＩＴＩＳＰＮＧＴＷＬＰＤＮＱＦＴＤＡＲＴＥＰＷＥＧＮＳＳＴＡＡＴＴＰＥＴＦＰＰＳＤＥＴＰＩＩＡＶＭＶＡＬＳＳＬＬＶＩＶＦＩＩＩＶＬＹＭＬＲＦＫＫＹＫＱＡＧＳＨＳＮＳＦＲＬＳＮＧＲＴＥＤＶＥＰＱＳＶＰＬＬＡＲＳＰＳＴＮＲＫＹＰＰＬＰＶＤＫＬＥＥＥＩＮＲＲＭＡＤＤＮＫＬＦＲＥＥＦＮＡＬＰＡＣＰＩＱＡＴＣＥＡＡＳＫＥＥＮＫＥＫＮＲＹＶＮＩＬＰＹＤＨＳＲＶＨＬＴＰＶＥＧＶＰＤＳＤＹＩＮＡＳＦＩＮＧＹＱＥＫＮＫＦＩＡＡＱＧＰＫＥＥＴＶＮＤＦＷＲＭＩＷＥＱＮＴＡＴＩＶＭＶＴＮＬＫＥＲＫＥＣＫＣＡＱＹＷＰＤＱＧＣＷＴＹＧＮＩＲＶＳＶＥＤＶＴＶＬＶＤＹＴＶＲＫＦＣＩＱＱＶＧＤＭＴＮＲＫＰＱＲＬＩＴＱＦＨＦＴＳＷＰＤＦＧＶＰＦＴＰＩＧＭＬＫＦＬＫＫＶＫＡＣＮＰＱＹＡＧＡＩＶＶＨＣＳＡＧＶＧＲＴＧＴＦＶＶＩＤＡＭＬＤＭＭＨＴＥＲＫＶＤＶＹＧＦＶＳＲＩＲＡＱＲＣＱＭＶＱＴＤＭＱＹＶＦＩＹＱＡＬＬＥＨＹＬＹＧＤＴＥＬＥＶＴＳＬＥＴＨＬＱＫＩＹＮＫＩＰＧＴＳＮＮＧＬＥＥＥＦＫＫＬＴＳＩＫＩＱＮＤＫＭＲＴＧＮＬＰＡＮＭＫＫＮＲＶＬＱＩＩＰＹＥＦＮＲＶＩＩＰＶＫＲＧＥＥＮＴＤＹＶＮＡＳＦＩＤＧＹＲＱＫＤＳＹＩＡＳＱＧＰＬＬＨＴＩＥＤＦＷＲＭＩＷＥＷＫＳＣＳＩＶＭＬＴＥＬＥＥＲＧＱＥＫＣＡＱＹＷＰＳＤＧＬＶＳＹＧＤＩＴＶＥＬＫＫＥＥＥＣＥＳＹＴＶＲＤＬＬＶＴＮＴＲＥＮＫＳＲＱＩＲＱＦＨＦＨＧＷＰＥＶＧＩＰＳＤＧＫＧＭＩＳＩＩＡＡＶＱＫＱＱＱＱＳＧＮＨＰＩＴＶＨＣＳＡＧＡＧＲＴＧＴＦＣＡＬＳＴＶＬＥＲＶＫＡＥＧＩＬＤＶＦＱＴＶＫＳＬＲＬＱＲＰＨＭＶＱＴＬＥＱＹＥＦＣＹＫＶＶＱＥＹＩＤＡＦＳＤＹＡＮＦＫ
コードするヌクレオチド配列（ＳＥＱ  ＩＤ  ＮＯ：２０）
ＡＴＧＧＡＴＴＣＣＴＧＧＴＴＣＡＴＴＣＴＴＧＴＴＣＴＧＣＴＣＧＧＣＡＧＴＧＧＴＣＴＧＡＴＡＴＧＴＧＴＣＡＧＴＧＣＣＡＡＣＡＡＴＧＣＴＡＣＣＡＣＡＧＴＴＧＣＡＣＣＴＴＣＴＧＴＡＧＧＡＡＴＴＡＣＡＡＧＡＴＴＡＡＴＴＡＡＣＴＣＡＴＣＡＡＣＧＧＣＡＧＡＡＣＣＡＧＴＴＡＡＡＧＡＡＧＡＧＧＣＣＡＡＡＡＣＴＴＣＡＡＡＴＣＣＡＡＣＴＴＣＴＴＣＡＣＴＡＡＣＴＴＣＴＣＴＴＴＣＴＧＴＧＧＣＡＣＣＡＡＣＡＴＴＣＡＧＣＣＣＡＡＡＴＡＴＡＡＣＴＣＴＧＧＧＡＣＣＣＡＣＣＴＡＴＴＴＡＡＣＣＡＣＴＧＴＣＡＡＴＴＣＴＴＣＡＧＡＣＴＣＴＧＡＣＡＡＴＧＧＧＡＣＣＡＣＡＡＧＡＡＣＡＧＣＡＡＧＣＡＣＣＡＡＴＴＣＴＡＴＡＧＧＣＡＴＴＡＣＡＡＴＴＴＣＡＣＣＡＡＡＴＧＧＡＡＣＧＴＧＧＣＴＴＣＣＡＧＡＴＡＡＣＣＡＧＴＴＣＡＣＧＧＡＴＧＣＣＡＧＡＡＣＡＧＡＡＣＣＣＴＧＧＧＡＧＧＧＧＡＡＴＴＣＣＡＧＣＡＣＣＧＣＡＧＣＡＡＣＣＡＣＴＣＣＡＧＡＡＡＣＴＴＴＣＣＣＴＣＣＴＴＣＡＧＡＴＧＡＧＡＣＡＣＣＡＡＴＴＡＴＴＧＣＧＧＴＧＡＴＧＧＴＧＧＣＣＣＴＧＴＣＣＴＣＴＣＴＧＣＴＡＧＴＧＡＴＣＧＴＧＴＴＴＡＴＴＡＴＣＡＴＡＧＴＴＴＴＧＴＡＣＡＴＧＴＴＡＡＧＧＴＴＴＡＡＧＡＡＡＴＡＣＡＡＧＣＡＡＧＣＴＧＧＧＡＧＣＣＡＴＴＣＣＡＡＴＴＣＴＴＴＣＣＧＣＴＴＡＴＣＣＡＡＣＧＧＣＣＧＣＡＣＴＧＡＧＧＡＴＧＴＧＧＡＧＣＣＣＣＡＧＡＧＴＧＴＧＣＣＡＣＴＴＣＴＧＧＣＣＡＧＡＴＣＣＣＣＡＡＧＣＡＣＣＡＡＣＡＧＧＡＡＡＴＡＣＣＣＡＣＣＣＣＴＧＣＣＣＧＴＧＧＡＣＡＡＧＣＴＧＧＡＡＧＡＧＧＡＡＡＴＴＡＡＣＣＧＧＡＧＡＡＴＧＧＣＡＧＡＣＧＡＣＡＡＴＡＡＧＣＴＣＴＴＣＡＧＧＧＡＧＧＡＡＴＴＣＡＡＣＧＣＴＣＴＣＣＣＴＧＣＡＴＧＴＣＣＴＡＴＣＣＡＧＧＣＣＡＣＣＴＧＴＧＡＧＧＣＴＧＣＴＴＣＣＡＡＧＧＡＧＧＡＡＡＡＣＡＡＧＧＡＡＡＡＡＡＡＴＣＧＡＴＡＴＧＴＡＡＡＣＡＴＣＴＴＧＣＣＴＴＡＴＧＡＣＣＡＣＴＣＴＡＧＡＧＴＣＣＡＣＣＴＧＡＣＡＣＣＧＧＴＴＧＡＡＧＧＧＧＴＴＣＣＡＧＡＴＴＣＴＧＡＴＴＡＣＡＴＣＡＡＴＧＣＴＴＣＡＴＴＣＡＴＣＡＡＣＧＧＴＴＡＣＣＡＡＧＡＡＡＡＧＡＡＣＡＡＡＴＴＣＡＴＴＧＣＴＧＣＡＣＡＡＧＧＡＣＣＡＡＡＡＧＡＡＧＡＡＡＣＧＧＴＧＡＡＴＧＡＴＴＴＣＴＧＧＣＧＧＡＴＧＡＴＣＴＧＧＧＡＡＣＡＡＡＡＣＡＣＡＧＣＣＡＣＣＡＴＣＧＴＣＡＴＧＧＴＴＡＣＣＡＡＣＣＴＧＡＡＧＧＡＧＡＧＡＡＡＧＧＡＧＴＧＣＡＡＧＴＧＣＧＣＣＣＡＧＴＡＣＴＧＧＣＣＡＧＡＣＣＡＡＧＧＣＴＧＣＴＧＧＡＣＣＴＡＴＧＧＧＡＡＴＡＴＴＣＧＧＧＴＧＴＣＴＧＴＡＧＡＧＧＡＴＧＴＧＡＣＴＧＴＣＣＴＧＧＴＧＧＡＣＴＡＣＡＣＡＧＴＡＣＧＧＡＡＧＴＴＣＴＧＣＡＴＣＣＡＧＣＡＧＧＴＧＧＧＣＧＡＣＡＴＧＡＣＣＡＡＣＡＧＡＡＡＧＣＣＡＣＡＧＣＧＣＣＴＣＡＴＣＡＣＴＣＡＧＴＴＣＣＡＣＴＴＴＡＣＣＡＧＣＴＧＧＣＣＡＧＡＣＴＴＴＧＧＧＧＴＧＣＣＴＴＴＴＡＣＣＣＣＧＡＴＣＧＧＣＡＴＧＣＴＣＡＡＧＴＴＣＣＴＣＡＡＧＡＡＧＧＴＧＡＡＧＧＣＣＴＧＴＡＡＣＣＣＴＣＡＧＴＡＴＧＣＡＧＧＧＧＣＣＡＴＣＧＴＧＧＴＣＣＡＣＴＧＣＡＧＴＧＣＡＧＧＴＧＴＡＧＧＧＣＧＴＡＣＡＧＧＴＡＣＣＴＴＴＧＴＣＧＴＣＡＴＴＧＡＴＧＣＣＡＴＧＣＴＧＧＡＣＡＴＧＡＴＧＣＡＴＡＣＡＧＡＡＣＧＧＡＡＧＧＴＧＧＡＣＧＴＧＴＡＴＧＧＣＴＴＴＧＴＧＡＧＣＣＧＧＡＴＣＣＧＧＧＣＡＣＡＧＣＧＣＴＧＣＣＡＧＡＴＧＧＴＧＣＡＡＡＣＣＧＡＴＡＴＧＣＡＧＴＡＴＧＴＣＴＴＣＡＴＡＴＡＣＣＡＡＧＣＣＣＴＴＣＴＧＧＡＧＣＡＴＴＡＴＣＴＣＴＡＴＧＧＡＧＡＴＡＣＡＧＡＡＣＴＧＧＡＡＧＴＧＡＣＣＴＣＴＣＴＡＧＡＡＡＣＣＣＡＣＣＴＧＣＡＧＡＡＡＡＴＴＴＡＣＡＡＣＡＡＡＡＴＣＣＣＡＧＧＧＡＣＣＡＧＣＡＡＣＡＡＴＧＧＡＴＴＡＧＡＧＧＡＧＧＡＧＴＴＴＡＡＧＡＡＧＴＴＡＡＣＡＴＣＡＡＴＣＡＡＡＡＴＣＣＡＧＡＡＴＧＡＣＡＡＧＡＴＧＣＧＧＡＣＴＧＧＡＡＡＣＣＴＴＣＣＡＧＣＣＡＡＣＡＴＧＡＡＧＡＡＧＡＡＣＣＧＴＧＴＴＴＴＡＣＡＧＡＴＣＡＴＴＣＣＡＴＡＴＧＡＡＴＴＣＡＡＣＡＧＡＧＴＧＡＴＣＡＴＴＣＣＡＧＴＴＡＡＧＣＧＧＧＧＣＧＡＡＧＡＧＡＡＴＡＣＡＧＡＣＴＡＴＧＴＧＡＡＣＧＣＡＴＣＣＴＴＴＡＴＴＧＡＴＧＧＣＴＡＣＣＧＧＣＡＧＡＡＧＧＡＣＴＣＣＴＡＴＡＴＣＧＣＣＡＧＣＣＡＧＧＧＣＣＣＴＣＴＴＣＴＣＣＡＣＡＣＡＡＴＴＧＡＧＧＡＣＴＴＣＴＧＧＣＧＡＡＴＧＡＴＣＴＧＧＧＡＧＴＧＧＡＡＡＴＣＣＴＧＣＴＣＴＡＴＣＧＴＧＡＴＧＣＴＡＡＣＡＧＡＡＣＴＧＧＡＧＧＡＧＡＧＡＧＧＣＣＡＧＧＡＧＡＡＧＴＧＴＧＣＣＣＡＧＴＡＣＴＧＧＣＣＡＴＣＴＧＡＴＧＧＡＣＴＧＧＴＧＴＣＣＴＡＴＧＧＡＧＡＴＡＴＴＡＣＡＧＴＧＧＡＡＣＴＧＡＡＧＡＡＧＧＡＧＧＡＧＧＡＡＴＧＴＧＡＧＡＧＣＴＡＣＡＣＣＧＴＣＣＧＡＧＡＣＣＴＣＣＴＧＧＴＣＡＣＣＡＡＣＡＣＣＡＧＧＧＡＧＡＡＴＡＡＧＡＧＣＣＧＧＣＡＧＡＴＣＣＧＧＣＡＧＴＴＣＣＡＣＴＴＣＣＡＴＧＧＣＴＧＧＣＣＴＧＡＡＧＴＧＧＧＣＡＴＣＣＣＣＡＧＴＧＡＣＧＧＡＡＡＧＧＧＣＡＴＧＡＴＣＡＧＣＡＴＣＡＴＣＧＣＣＧＣＣＧＴＧＣＡＧＡＡＧＣＡＧＣＡＧＣＡＧＣＡＧＴＣＡＧＧＧＡＡＣＣＡＣＣＣＣＡＴＣＡＣＣＧＴＧＣＡＣＴＧＣＡＧＣＧＣＣＧＧＧＧＣＡＧＧＡＡＧＧＡＣＧＧＧＧＡＣＣＴＴＣＴＧＴＧＣＣＣＴＧＡＧＣＡＣＣＧＴＣＣＴＧＧＡＧＣＧＴＧＴＧＡＡＡＧＣＡＧＡＧＧＧＧＡＴＴＴＴＧＧＡＴＧＴＣＴＴＣＣＡＧＡＣＴＧＴＣＡＡＧＡＧＣＣＴＧＣＧＧＣＴＡＣＡＧＡＧＧＣＣＡＣＡＣＡＴＧＧＴＣＣＡＧＡＣＡＣＴＧＧＡＡＣＡＧＴＡＴＧＡＧＴＴＣＴＧＣＴＡＣＡＡＧＧＴＧＧＴＧＣＡＧＧＡＧＴＡＴＡＴＴＧＡＴＧＣＡＴＴＣＴＣＡＧＡＴＴＡＴＧＣＣＡＡＣＴＴＣＡＡＧ
ＲＡＢ７Ｌ１  ＮＰ＿００３９２０  ＲＡＢ７、メンバーＲＡＳ癌遺伝子ファミリー様１  全長（１−２０３）
アミノ酸配列（ＳＥＱ  ＩＤ  ＮＯ：２１）
ＭＧＳＲＤＨＬＦＫＶＬＶＶＧＤＡＡＶＧＫＴＳＬＶＱＲＹＳＱＤＳＦＳＫＨＹＫＳＴＶＧＶＤＦＡＬＫＶＬＱＷＳＤＹＥＩＶＲＬＱＬＷＤＩＡＧＱＥＲＦＴＳＭＴＲＬＹＹＲＤＡＳＡＣＶＩＭＦＤＶＴＮＡＴＴＦＳＮＳＱＲＷＫＱＤＬＤＳＫＬＴＬＰＮＧＥＰＶＰＣＬＬＬＡＮＫＣＤＬＳＰＷＡＶＳＲＤＱＩＤＲＦＳＫＥＮＧＦＴＧＷＴＥＴＳＶＫＥＮＫＮＩＮＥＡＭＲＶＬＩＥＫＭＭＲＮＳＴＥＤＩＭＳＬＳＴＱＧＤＹＩＮＬＱＴＫＳＳＳＷＳＣＣ
コードするヌクレオチド配列（ＳＥＱ  ＩＤ  ＮＯ：２２）
ＡＴＧＧＧＣＡＧＣＣＧＣＧＡＣＣＡＣＣＴＧＴＴＣＡＡＡＧＴＧＣＴＧＧＴＧＧＴＧＧＧＧＧＡＣＧＣＣＧＣＡＧＴＧＧＧＣＡＡＧＡＣＧＴＣＧＣＴＧＧＴＧＣＡＧＣＧＡＴＡＴＴＣＣＣＡＧＧＡＣＡＧＣＴＴＣＡＧＣＡＡＡＣＡＣＴＡＣＡＡＧＴＣＣＡＣＧＧＴＧＧＧＡＧＴＧＧＡＴＴＴＴＧＣＴＣＴＧＡＡＧＧＴＴＣＴＣＣＡＧＴＧＧＴＣＴＧＡＣＴＡＣＧＡＧＡＴＡＧＴＧＣＧＧＣＴＴＣＡＧＣＴＧＴＧＧＧＡＴＡＴＴＧＣＡＧＧＧＣＡＧＧＡＧＣＧＣＴＴＣＡＣＣＴＣＴＡＴＧＡＣＡＣＧＡＴＴＧＴＡＴＴＡＴＣＧＧＧＡＴＧＣＣＴＣＴＧＣＣＴＧＴＧＴＴＡＴＴＡＴＧＴＴＴＧＡＣＧＴＴＡＣＣＡＡＴＧＣＣＡＣＴＡＣＣＴＴＣＡＧＣＡＡＣＡＧＣＣＡＧＡＧＧＴＧＧＡＡＡＣＡＧＧＡＣＣＴＡＧＡＣＡＧＣＡＡＧＣＴＣＡＣＡＣＴＡＣＣＣＡＡＴＧＧＡＧＡＧＣＣＧＧＴＧＣＣＣＴＧＣＣＴＧＣＴＣＴＴＧＧＣＣＡＡＣＡＡＧＴＧＴＧＡＴＣＴＧＴＣＣＣＣＴＴＧＧＧＣＡＧＴＧＡＧＣＣＧＧＧＡＣＣＡＧＡＴＴＧＡＣＣＧＧＴＴＣＡＧＴＡＡＡＧＡＧＡＡＣＧＧＴＴＴＣＡＣＡＧＧＴＴＧＧＡＣＡＧＡＡＡＣＡＴＣＡＧＴＣＡＡＧＧＡＧＡＡＣＡＡＡＡＡＴＡＴＴＡＡＴＧＡＧＧＣＴＡＴＧＡＧＡＧＴＣＣＴＣＡＴＴＧＡＡＡＡＧＡＴＧＡＴＧＡＧＡＡＡＴＴＣＣＡＣＡＧＡＡＧＡＴＡＴＣＡＴＧＴＣＴＴＴＧＴＣＣＡＣＣＣＡＡＧＧＧＧＡＣＴＡＣＡＴＣＡＡＴＣＴＡＣＡＡＡＣＣＡＡＧＴＣＣＴＣＣＡＧＣＴＧＧＴＣＣＴＧＣＴＧＣ
ＳＣＹＬ３  ＮＰ＿０６５１５６  ＳＣＹ１様３（Ｓ．セレビシアエ）  全長（１−６８８）、Ｇ５４３Ａ
アミノ酸配列（ＳＥＱ  ＩＤ  ＮＯ：２３）
ＭＧＳＥＮＳＡＬＫＳＹＴＬＲＥＰＰＦＴＬＰＳＧＬＡＶＹＰＡＶＬＱＤＧＫＦＡＳＶＦＶＹＫＲＥＮＥＤＫＶＮＫＡＡＫＨＬＫＴＬＲＨＰＣＬＬＲＦＬＳＣＴＶＥＡＤＧＩＨＬＶＴＥＲＶＱＰＬＥＶＡＬＥＴＬＳＳＡＥＶＣＡＧＩＹＤＩＬＬＡＬＩＦＬＨＤＲＧＨＬＴＨＮＮＶＣＬＳＳＶＦＶＳＥＤＧＨＷＫＬＧＧＭＥＴＶＣＫＶＳＱＡＴＰＥＦＬＲＳＩＱＳＩＲＤＰＡＳＩＰＰＥＥＭＳＰＥＦＴＴＬＰＥＣＨＧＨＡＲＤＡＦＳＦＧＴＬＶＥＳＬＬＴＩＬＮＥＱＶＳＡＤＶＬＳＳＦＱＱＴＬＨＳＴＬＬＮＰＩＰＫＣＲＰＡＬＣＴＬＬＳＨＤＦＦＲＮＤＦＬＥＶＶＮＦＬＫＳＬＴＬＫＳＥＥＥＫＴＥＦＦＫＦＬＬＤＲＶＳＣＬＳＥＥＬＩＡＳＲＬＶＰＬＬＬＮＱＬＶＦＡＥＰＶＡＶＫＳＦＬＰＹＬＬＧＰＫＫＤＨＡＱＧＥＴＰＣＬＬＳＰＡＬＦＱＳＲＶＩＰＶＬＬＱＬＦＥＶＨＥＥＨＶＲＭＶＬＬＳＨＩＥＡＹＶＥＨＦＴＱＥＱＬＫＫＶＩＬＰＱＶＬＬＧＬＲＤＴＳＤＳＩＶＡＩＴＬＨＳＬＡＶＬＶＳＬＬＧＰＥＶＶＶＧＧＥＲＴＫＩＦＫＲＴＡＰＳＦＴＫＮＴＤＬＳＬＥＧＤＰＦＳＱＰＩＫＦＰＩＮＧＬＳＤＶＫＮＴＳＥＤＳＥＮＦＰＳＳＳＫＫＳＥＥＷＰＤＷＳＥＰＥＥＰＥＮＱＴＶＮＩＱＩＷＰＲＥＰＣＤＤＶＫＳＱＣＴＴＬＤＶＥＥＳＳＷＤＤＣＥＰＳＳＬＤＴＫＶＮＰＧＧＧＩＴＡＴＫＰＶＴＳＡＥＱＫＰＩＰＡＬＬＳＬＴＥＥＳＭＰＷＫＳＳＬＰＱＫＩＳＬＶＱＲＧＤＤＡＤＱＩＥＰＰＫＶＳＳＱＥＲＰＬＫＶＰＳＥＬＧＬＧＥＥＦＴＩＱＶＫＫＫＰＶＫＤＰＥＭＤＷＦＡＤＭＩＰＥＩＫＰＳＡＡＦＬＩＬＰＥＬＲＴＥＭＶＰＫＫＤＤＶＳＰＶＭＱＦＳＳＫＦＡＡＡＥＩＴＥＧＥＡＥＧＷＥＥＥＧＥＬＮＷＥＤＮＮＷ
コードするヌクレオチド配列（ＳＥＱ  ＩＤ  ＮＯ：２４）
ＡＴＧＧＧＡＴＣＡＧＡＧＡＡＣＡＧＴＧＣＴＴＴＡＡＡＧＡＧＣＴＡＴＡＣＡＣＴＧＡＧＡＧＡＡＣＣＡＣＣＡＴＴＴＡＣＣＴＴＡＣＣＣＴＣＴＧＧＡＣＴＴＧＣＴＧＴＴＴＡＴＣＣＣＧＣＴＧＴＡＣＴＧＣＡＡＧＡＴＧＧＣＡＡＡＴＴＴＧＣＴＴＣＡＧＴＴＴＴＴＧＴＧＴＡＴＡＡＧＡＧＡＧＡＡＡＡＴＧＡＡＧＡＣＡＡＧＧＴＴＡＡＴＡＡＡＧＣＴＧＣＣＡＡＧＣＡＴＴＴＧＡＡＧＡＣＡＣＴＴＣＧＴＣＡＣＣＣＴＴＧＣＴＴＧＣＴＡＡＧＡＴＴＴＴＴＡＴＣＴＴＧＴＡＣＴＧＴＧＧＡＡＧＣＧＧＡＴＧＧＣＡＴＴＣＡＴＣＴＴＧＴＣＡＣＴＧＡＧＣＧＡＧＴＡＣＡＧＣＣＣＣＴＧＧＡＡＧＴＧＧＣＴＴＴＧＧＡＡＡＣＡＴＴＧＴＣＴＴＣＴＧＣＡＧＡＧＧＴＣＴＧＴＧＣＴＧＧＧＡＴＣＴＡＴＧＡＣＡＴＡＴＴＧＣＴＧＧＣＴＣＴＴＡＴＣＴＴＣＣＴＴＣＡＴＧＡＣＡＧＡＧＧＡＣＡＣＣＴＡＡＣＡＣＡＣＡＡＴＡＡＴＧＴＣＴＧＴＴＴＡＴＣＡＴＣＴＧＴＧＴＴＴＧＴＧＡＧＴＧＡＡＧＡＴＧＧＡＣＡＣＴＧＧＡＡＧＣＴＡＧＧＡＧＧＡＡＴＧＧＡＡＡＣＴＧＴＴＴＧＴＡＡＡＧＴＴＴＣＴＣＡＧＧＣＣＡＣＡＣＣＡＧＡＧＴＴＴＣＴＧＡＧＧＡＧＴＡＴＴＣＡＧＴＣＡＡＴＡＡＧＡＧＡＣＣＣＡＧＣＡＴＣＴＡＴＣＣＣＴＣＣＴＧＡＡＧＡＧＡＴＧＴＣＴＣＣＡＧＡＡＴＴＣＡＣＡＡＣＴＣＴＣＣＣＡＧＡＧＴＧＴＣＡＴＧＧＡＣＡＴＧＣＣＣＧＧＧＡＴＧＣＣＴＴＴＴＣＡＴＴＴＧＧＡＡＣＡＴＴＧＧＴＧＧＡＡＡＧＴＴＴＧＣＴＣＡＣＡＡＴＣＴＴＡＡＡＴＧＡＡＣＡＧＧＴＴＴＣＡＧＣＧＧＡＴＧＴＴＣＴＣＴＣＣＡＧＣＴＴＴＣＡＡＣＡＧＡＣＣＴＴＧＣＡＣＴＣＡＡＣＴＴＴＧＣＴＧＡＡＴＣＣＣＡＴＴＣＣＡＡＡＡＴＧＴＣＧＧＣＣＡＧＣＧＣＴＣＴＧＣＡＣＣＴＴＡＣＴＡＴＣＴＣＡＴＧＡＣＴＴＣＴＴＣＡＧＡＡＡＴＧＡＴＴＴＴＣＴＧＧＡＡＧＴＴＧＴＧＡＡＴＴＴＣＴＴＧＡＡＡＡＧＴＴＴＡＡＣＡＴＴＧＡＡＧＡＧＴＧＡＡＧＡＧＧＡＧＡＡＡＡＣＧＧＡＡＴＴＣＴＴＴＡＡＡＴＴＴＣＴＧＣＴＧＧＡＣＡＧＡＧＴＣＡＧＣＴＧＣＴＴＧＴＣＡＧＡＧＧＡＡＴＴＧＡＴＡＧＣＴＴＣＡＡＧＧＴＴＧＧＴＧＣＣＴＣＴＴＣＴＧＣＴＴＡＡＴＣＡＧＴＴＧＧＴＧＴＴＴＧＣＡＧＡＧＣＣＡＧＴＧＧＣＴＧＴＴＡＡＧＡＧＴＴＴＴＣＴＴＣＣＴＴＡＴＣＴＧＣＴＴＧＧＣＣＣＣＡＡＡＡＡＡＧＡＴＣＡＴＧＣＧＣＡＧＧＧＡＧＡＡＡＣＴＣＣＴＴＧＣＴＴＧＣＴＣＴＣＡＣＣＡＧＣＣＣＴＧＴＴＣＣＡＧＴＣＡＣＧＧＧＴＧＡＴＣＣＣＣＧＴＧＣＴＴＣＴＣＣＡＧＴＴＧＴＴＴＧＡＡＧＴＴＣＡＴＧＡＡＧＡＧＣＡＴＧＴＧＣＧＧＡＴＧＧＴＧＣＴＧＣＴＧＴＣＴＣＡＣＡＴＣＧＡＧＧＣＣＴＡＣＧＴＧＧＡＧＣＡＣＴＴＣＡＣＴＣＡＧＧＡＧＣＡＧＣＴＧＡＡＧＡＡＡＧＴＣＡＴＣＴＴＧＣＣＡＣＡＧＧＴＴＴＴＧＣＴＧＧＧＣＣＴＧＣＧＴＧＡＴＡＣＴＡＧＴＧＡＴＴＣＣＡＴＴＧＴＧＧＣＡＡＴＴＡＣＴＣＴＧＣＡＴＡＧＣＣＴＡＧＣＡＧＴＧＣＴＧＧＴＣＴＣＴＣＴＧＣＴＴＧＧＡＣＣＡＧＡＧＧＴＧＧＴＴＧＴＧＧＧＡＧＧＡＧＡＡＣＧＡＡＣＣＡＡＧＡＴＣＴＴＣＡＡＡＣＧＣＡＣＴＧＣＣＣＣＡＡＧＴＴＴＴＡＣＴＡＡＡＡＡＴＡＣＴＧＡＣＣＴＴＴＣＴＣＴＡＧＡＡＧＧＴＧＡＴＣＣＡＴＴＴＴＣＴＣＡＧＣＣＴＡＴＴＡＡＡＴＴＴＣＣＣＡＴＡＡＡＣＧＧＡＣＴＣＴＣＡＧＡＴＧＴＡＡＡＡＡＡＴＡＣＴＴＣＧＧＡＧＧＡＣＡＧＴＧＡＡＡＡＣＴＴＣＣＣＡＴＣＡＡＧＴＴＣＴＡＡＡＡＡＧＴＣＴＧＡＧＧＡＧＴＧＧＣＣＴＧＡＣＴＧＧＡＧＴＧＡＡＣＣＴＧＡＧＧＡＧＣＣＴＧＡＡＡＡＴＣＡＡＡＣＴＧＴＣＡＡＣＡＴＡＣＡＧＡＴＴＴＧＧＣＣＴＡＧＡＧＡＡＣＣＴＴＧＴＧＡＴＧＡＴＧＴＣＡＡＧＴＣＣＣＡＧＴＧＣＡＣＴＡＣＣＴＴＧＧＡＴＧＴＧＧＡＡＧＡＧＴＣＡＴＣＴＴＧＧＧＡＴＧＡＣＴＧＣＧＡＧＣＣＣＡＧＣＡＧＣＴＴＡＧＡＴＡＣＴＡＡＡＧＴＡＡＡＣＣＣＡＧＧＡＧＧＴＧＧＡＡＴＣＡＣＴＧＣＴＡＣＡＡＡＡＣＣＴＧＴＴＡＣＣＴＣＡＧＣＧＧＡＧＣＡＧＡＡＧＣＣＴＡＴＴＣＣＴＧＣＴＴＴＧＣＴＴＴＣＡＣＴＣＡＣＴＧＡＡＧＡＧＴＣＴＡＴＧＣＣＴＴＧＧＡＡＡＴＣＡＡＧＣＴＴＡＣＣＣＣＡＡＡＡＧＡＴＴＡＧＣＣＴＴＧＴＡＣＡＡＡＧＧＧＧＧＧＡＴＧＡＣＧＣＡＧＡＣＣＡＡＡＴＣＧＡＧＣＣＧＣＣＡＡＡＡＧＴＧＴＣＡＴＣＡＣＡＡＧＡＡＡＧＧＣＣＣＣＴＴＡＡＧＧＴＴＣＣＡＴＣＡＧＡＡＣＴＴＧＧＴＴＴＡＧＧＡＧＡＧＧＡＡＴＴＣＡＣＣＡＴＴＣＡＡＧＴＡＡＡＡＡＡＧＡＡＧＣＣＡＧＴＡＡＡＡＧＡＴＣＣＴＧＡＧＡＴＧＧＡＴＴＧＧＴＴＴＧＣＴＧＡＴＡＴＧＡＴＣＣＣＡＧＡＡＡＴＴＡＡＧＣＣＴＴＣＴＧＣＴＧＣＴＴＴＴＣＴＴＡＴＡＴＴＡＣＣＴＧＡＡＣＴＧＡＧＧＡＣＡＧＡＡＡＴＧＧＴＣＣＣＡＡＡＡＡＡＧＧＡＴＧＡＴＧＴＣＴＣＣＣＣＡＧＴＧＡＴＧＣＡＧＴＴＴＴＣＣＴＣＡＡＡＡＴＴＴＧＣＴＧＣＡＧＣＡＧＡＡＡＴＴＡＣＴＧＡＧＧＧＡＧＡＧＧＣＴＧＡＡＧＧＣＴＧＧＧＡＡＧＡＡＧＡＡＧＧＧＧＡＧＣＴＧＡＡＣＴＧＧＧＡＡＧＡＴＡＡＴＡＡＣＴＧＧ
特許請求の範囲は、本明細書に記載の材料および方法、実施態様、および実施例に限定されるものではない。
【国際調査報告】
2016507748.tif 000004